(57)【要約】【課題】着用時の拘束感が少なく、蒸れやかぶれの発生が抑制された吸収体物品の提供。【解決手段】シート状の防漏体と、前記防漏体の上部に少なくとも一層配置された、体液を吸収しうる吸収体と、前記吸収体の上部に、吸収体物品本体の長さ方向の前端部から前身頃、股下部及び後身頃を経て後端部にわたって配置される左右一対のフローティングレッグギャザーとを具備する吸収体物品であって、前記フローティングレッグギャザーが、頭部と前記頭部に連なる垂下部とを有し、前記フローティングレッグギャザーの前端部及び後端部が、吸収体物品本体の前端部近傍及び後端部近傍にそれぞれ結合されて、前記垂下部が前記頭部から前記吸収体に向かって垂れ下がるように構成され、前記左右一対のフローティングレッグギャザーの前記垂下部の少なくとも一部が下端部付近で相互に連結され、前記垂下部の内面側に体液の移動通路が形成されている、吸収体物品。【選択図】図９
2014030200.tif 000002
【特許請求の範囲】
【請求項１】
シート状の防漏体と、
前記防漏体の上部に少なくとも一層配置された、体液を吸収しうる吸収体と、
前記吸収体の上部に、吸収体物品本体の長さ方向の前端部から前身頃、股下部及び後身頃を経て後端部にわたって配置される左右一対のフローティングレッグギャザーと
を具備する吸収体物品であって、
前記フローティングレッグギャザーが、頭部と前記頭部に連なる垂下部とを有し、
前記フローティングレッグギャザーの前端部及び後端部が、吸収体物品本体の前端部近傍及び後端部近傍にそれぞれ結合されて、前記垂下部が前記頭部から前記吸収体に向かって垂れ下がるように構成され、
前記左右一対のフローティングレッグギャザーの前記垂下部の少なくとも一部が下端部付近で相互に連結され、前記垂下部の内面側に体液の移動通路が形成されている、吸収体物品。
【請求項２】
前記体液の移動通路の上部が開放されている、請求項１に記載の吸収体物品。
【請求項３】
前記左右一対のフローティングレッグギャザーが、
いずれも前記頭部が外側に、前記垂下部が内側に向くように配置され、
前記左右一対のフローティングレッグギャザーの前記垂下部が、それぞれ下端部付近で連結シートと結合することにより、相互に連結されている、請求項１又は２に記載の吸収体物品。
【請求項４】
前記左右一対のフローティングレッグギャザーの前記垂下部の外側の面と、前記連結シートとが結合している、請求項３に記載の吸収体物品。
【請求項５】
前記左右一対のフローティングレッグギャザーの前記垂下部の内側の面と、前記連結シートとが結合している、請求項３に記載の吸収体物品。
【請求項６】
前記連結シートの前後方向の長さが前記連結シートの左右方向の幅よりも長い、請求項３〜５のいずれかに記載の吸収体物品。
【請求項７】
前記連結シートの前後方向の長さが前記連結シートの左右方向の幅以下である、請求項３〜５のいずれかに記載の吸収体物品。
【請求項８】
前記連結シートの左右方向の幅が、前側から後ろ側にかけて狭くなっている、請求項３〜７のいずれかに記載の吸収体物品。
【請求項９】
前記連結シートの左右両縁部が、上側において、内側に折り返されている、請求項３〜８のいずれかに記載の吸収体物品。
【請求項１０】
前記連結シートの左右両縁部が、上側において、内側に折り返され、かつ、内側に折り返された部分が更に外側に折り返されている、請求項３〜８のいずれかに記載の吸収体物品。
【請求項１１】
前記連結シートが親水性材料により構成されている、請求項３〜１０のいずれかに記載の吸収体物品。
【請求項１２】
前記連結シートが疎水性材料により構成されている、請求項３〜１０のいずれかに記載の吸収体物品。
【請求項１３】
前記連結シートが親水性材料と疎水性材料との組合せにより構成されている、請求項３〜１０のいずれかに記載の吸収体物品。
【請求項１４】
前記連結シートが親水性と疎水性とを複合した材料により構成されている、請求項３〜１０のいずれかに記載の吸収体物品。
【請求項１５】
前記連結シートが、前記左右一対のフローティングレッグギャザーの前記垂下部の前記体液の移動通路を形成する部分の前端及び／又は後端を超えて設けられている、請求項３〜１７のいずれかに記載の吸収体物品。
【請求項１６】
前記左右一対のフローティングレッグギャザーが、
いずれも前記頭部が外側に、前記垂下部が内側に向くように配置され、
前記左右一対のフローティングレッグギャザーの前記垂下部が、それぞれ下端部付近で直接結合することにより、相互に連結されている、請求項１又は２に記載の吸収体物品。
【請求項１７】
前記体液の移動通路を構成する部材と前記吸収体の表面とが離間している、請求項１〜１６のいずれかに記載の吸収体物品。
【請求項１８】
前記体液の移動通路を構成する部材と前記吸収体の表面とが結合している、請求項１〜１６のいずれかに記載の吸収体物品。
【請求項１９】
前記体液の移動通路を構成する部材が、前記体液の移動通路の前端及び／又は後端の付近において前記吸収体の表面と結合することにより、前記体液の移動通路が、固定された部分が低く、固定されていない部分が高くなっている、請求項１８に記載の吸収体物品。
【請求項２０】
前記体液の移動通路が前後方向において高低差を有することにより、体液の移動方向が規定されている、請求項３〜１９のいずれかに記載の吸収体物品。
【請求項２１】
前記左右一対のフローティングレッグギャザーの前記垂下部と前記連結シートとの結合の上下方向の位置が、前後方向において複数あることにより、前記体液の移動通路の前記高低差が設けられている、請求項２０に記載の吸収体物品。
【請求項２２】
前記体液の移動通路が少なくとも股下部の領域に設けられている、請求項１〜２１のいずれかに記載の吸収体物品。
【請求項２３】
前記体液の移動通路が少なくとも前身頃の領域に設けられている、請求項１〜２２のいずれかに記載の吸収体物品。
【請求項２４】
前記体液の移動通路が少なくとも後身頃の領域に設けられている、請求項１〜２３のいずれかに記載の吸収体物品。
【発明の詳細な説明】
【技術分野】
【０００１】
本発明は、新規なレッグギャザーを備えた吸収体物品に関する。
【背景技術】
【０００２】
紙おむつ（子供用及び大人用）、生理用ナプキン、失禁用品、トレーニングパンツ等の吸収体物品は、高吸水性樹脂（Ｓｕｐｅｒ  Ａｂｓｏｒｂｅｎｔ  Ｐｏｌｙｍｅｒ、以下「ＳＡＰ」ともいう。）やフラッフ状パルプ等を用いた吸収体により、着用者から排出された尿等の体液を吸収する物品である。
従来の吸収体物品は、吸収体を着用者の身体の表面に隙間なく密着させることによって、排出された体液を吸収体の表面から内部に移行させて吸収させ、これにより漏れを防いでいる。
このような吸収体の着用者の身体への密着状態は、吸収体に「外部からの押圧」を加えることにより実現される。子供用おむつを例にしてより詳しく説明する。
子供用おむつにおいては、「外部からの押圧」を発生させるものとして、各種の伸縮性材料（パンティーストッキング、サポーター、競泳用水着等に用いられているのと同様のもの）が各部に配置されている。特に、近年、子供用おむつの主流になっているテープレスのパンツ型おむつにおいては、身体の動きが活発になる幼児（体重の目安として約６ｋｇ以上）を主たる対象にしているため、伸縮性材料を用いることが必須となっている。【０００３】
パンツ型おむつにおける伸縮性材料としては、一般に、以下のものが用いられる。
（１）ウエストギャザーバンド（腰部伸縮体）：おむつ本体の前端部と後端部とを連結し、おむつをウエスト周りに密着させ、ずれ落ちを防ぐ固定バンドとして働く。
（２）シャーリングギャザー又はトランクギャザー（胴部維持伸縮体）：おむつの背面及び腹面をそれぞれカバーするように存在し、背面付近及び腹面付近にある吸収体を着用者の身体の表面に押し付ける機能を奏する。
（３）レッグギャザー（脚部伸縮体）：股下部付近において、おむつ本体と着用者の身体との間に隙間が生じないようにシールするとともに、吸収体の側面からの漏れを防ぐ堰（バンク）としての役割を果たす。レッグギャザーは、その役割に応じて次の３種類に分類され、いずれかを単独で、又は２種以上を組み合わせて用いられる。
（３ａ）第１インナーレッグギャザー（ＩＬＧ）：吸収体上又は吸収体の側縁に設けられ、伸縮性の頭部と不織布製の脚部とを持ち、通常は立ち上がった形状を持つ。
（３ｂ）第２インナーレッグギャザー（ＩＬＧ）：吸収体の側縁又は外側に設けられ、伸縮性の頭部と不織布製の脚部とを持ち、通常は立ち上がった形状を持つ。
（３ｃ）アウターレッグギャザー（ＯＬＧ）又はガゼットギャザー：おむつ本体の側縁において、トップシートと防漏体とで伸縮性材料を両面から挟んで設けられ、通常はフラットであるが、場合によっては内側に折り返されて、立ち上がる形状にして使用される。
【発明の概要】
【発明が解決しようとする課題】
【０００４】
上述したような伸縮性材料は、幅広のゴムバンドのような強いテンションが集中する態様で使用すると着用者に拘束感を与え、また、痕（マーク）が残るので、一般に、複数の細いポリウレタンフィラメントを並列させた態様にして、テンションを分散させる等の改善努力がなされてきたが、現状のおむつは、依然として、着用者にとって、身体的にも、精神的にも大きな拘束感を伴うものとなっている。
また、この従来のおむつは、「外部からの押圧」により、吸収体の着用者の身体への密着状態を実現させるため、蒸れやかぶれが発生しやすい。
そこで、本発明は、着用時の拘束感が少なく、蒸れやかぶれの発生が抑制された吸収体物品を提供することを目的とする。
【課題を解決するための手段】
【０００５】
本発明者は、上記目的を達成すべく、着用時の拘束感が少なく、蒸れやかぶれの発生が抑制された吸収体物品を、「外部からの押圧」を用いずに、新しいコンセプトにより実現することを検討した。
本発明者は、鋭意研究の結果、吸収体の上部に、吸収体物品本体の長さ方向の前端部から前身頃、股下部及び後身頃を経て後端部にわたって配置される左右一対のフローティングレッグギャザー（以下「ＦＬＧ」ともいう。）として、頭部と頭部に連なる垂下部とを有し、ＦＬＧの前端部及び後端部が、吸収体物品本体の前端部近傍及び後端部近傍にそれぞれ結合されて、垂下部が頭部から吸収体に向かって垂れ下がるように構成されたＦＬＧを設け、左右一対のＦＬＧの垂下部の少なくとも一部が下端部付近で相互に連結され、前記垂下部の内面側に体液の移動通路が形成されるようにすることにより、吸収体物品の着用時において、ＦＬＧが吸収体と離間するため、着用時の拘束感が少なく、また、吸収体上に排出された尿や便が着用者の肌に接触することが効果的に抑制され、ひいては蒸れやかぶれの発生が抑制されることを見出し、本発明を完成させた。【０００６】
本発明は、吸収体物品を構成する部材の中でも、特に、スキンコンタクト部材と吸収体部材に着目し、
（１）従来の吸収体物品においては、吸収体とそこから立ち上がるギャザーとが両方とも着用者の肌に押圧されていたのに対し、「着用者の体液排出器の側縁の肌に常時、柔らかく密着して働くスキンコンタクト部材」と「形態保持性が必要で、剛性のある吸収体部材」とに機能的に分離した上、
（２）上記「吸収体部材」を着用者の身体の表面から物理的に離間させ、かつ、
（３）上記「スキンコンタクト部材」として、左右一対の頭部と、前記頭部から吸収体部材に向かって垂れ下がる左右一対の垂下部とを有するＦＬＧを別体として設けることにより、
従来の吸収体物品のように、吸収体を着用者の身体の表面に圧着させることなく、しかも吸収体が着用者の身体の表面と離間したままの状態で、吸収体の吸収機能を十分に発揮することができる新規な吸収体物品を提供するものである。【０００７】
すなわち、本発明は、以下の（１）〜（２４）を提供する。
（１）シート状の防漏体と、
前記防漏体の上部に少なくとも一層配置された、体液を吸収しうる吸収体と、
前記吸収体の上部に、吸収体物品本体の長さ方向の前端部から前身頃、股下部及び後身頃を経て後端部にわたって配置される左右一対のフローティングレッグギャザーと
を具備する吸収体物品であって、
前記フローティングレッグギャザーが、頭部と前記頭部に連なる垂下部とを有し、
前記フローティングレッグギャザーの前端部及び後端部が、吸収体物品本体の前端部近傍及び後端部近傍にそれぞれ結合されて、前記垂下部が前記頭部から前記吸収体に向かって垂れ下がるように構成され、
前記左右一対のフローティングレッグギャザーの前記垂下部の少なくとも一部が下端部付近で相互に連結され、前記垂下部の内面側に体液の移動通路が形成されている、吸収体物品。
（２）前記体液の移動通路の上部が開放されている、上記（１）に記載の吸収体物品。
（３）前記左右一対のフローティングレッグギャザーが、
いずれも前記頭部が外側に、前記垂下部が内側に向くように配置され、
前記左右一対のフローティングレッグギャザーの前記垂下部が、それぞれ下端部付近で連結シートと結合することにより、相互に連結されている、上記（１）又は（２）に記載の吸収体物品。
（４）前記左右一対のフローティングレッグギャザーの前記垂下部の外側の面と、前記連結シートとが結合している、上記（３）に記載の吸収体物品。
（５）前記左右一対のフローティングレッグギャザーの前記垂下部の内側の面と、前記連結シートとが結合している、上記（３）に記載の吸収体物品。
（６）前記連結シートの前後方向の長さが前記連結シートの左右方向の幅よりも長い、上記（３）〜（５）のいずれかに記載の吸収体物品。
（７）前記連結シートの前後方向の長さが前記連結シートの左右方向の幅以下である、上記（３）〜（５）のいずれかに記載の吸収体物品。
（８）前記連結シートの左右方向の幅が、前側から後ろ側にかけて狭くなっている、上記（３）〜（７）のいずれかに記載の吸収体物品。
（９）前記連結シートの左右両縁部が、上側において、内側に折り返されている、上記（３）〜（８）のいずれかに記載の吸収体物品。
（１０）前記連結シートの左右両縁部が、上側において、内側に折り返され、かつ、内側に折り返された部分が更に外側に折り返されている、上記（３）〜（８）のいずれかに記載の吸収体物品。
（１１）前記連結シートが親水性材料により構成されている、上記（３）〜（１０）のいずれかに記載の吸収体物品。
（１２）前記連結シートが疎水性材料により構成されている、上記（３）〜（１０）のいずれかに記載の吸収体物品。
（１３）前記連結シートが親水性材料と疎水性材料との組合せにより構成されている、上記（３）〜（１０）のいずれかに記載の吸収体物品。
（１４）前記連結シートが親水性と疎水性とを複合した材料により構成されている、上記（３）〜（１０）のいずれかに記載の吸収体物品。
（１５）前記連結シートが、前記左右一対のフローティングレッグギャザーの前記垂下部の前記体液の移動通路を形成する部分の前端及び／又は後端を超えて設けられている、上記（３）〜（１７）のいずれかに記載の吸収体物品。
（１６）前記左右一対のフローティングレッグギャザーが、
いずれも前記頭部が外側に、前記垂下部が内側に向くように配置され、
前記左右一対のフローティングレッグギャザーの前記垂下部が、それぞれ下端部付近で直接結合することにより、相互に連結されている、上記（１）又は（２）に記載の吸収体物品。
（１７）前記体液の移動通路を構成する部材と前記吸収体の表面とが離間している、上記（１）〜（１６）のいずれかに記載の吸収体物品。
（１８）前記体液の移動通路を構成する部材と前記吸収体の表面とが結合している、上記（１）〜（１６）のいずれかに記載の吸収体物品。
（１９）前記体液の移動通路を構成する部材が、前記体液の移動通路の前端及び／又は後端の付近において前記吸収体の表面と結合することにより、前記体液の移動通路が、固定された部分が低く、固定されていない部分が高くなっている、上記（１８）に記載の吸収体物品。
（２０）前記体液の移動通路が前後方向において高低差を有することにより、体液の移動方向が規定されている、上記（３）〜（１９）のいずれかに記載の吸収体物品。
（２１）前記左右一対のフローティングレッグギャザーの前記垂下部と前記連結シートとの結合の上下方向の位置が、前後方向において複数あることにより、前記体液の移動通路の前記高低差が設けられている、上記（２０）に記載の吸収体物品。
（２２）前記体液の移動通路が少なくとも股下部の領域に設けられている、上記（１）〜（２１）のいずれかに記載の吸収体物品。
（２３）前記体液の移動通路が少なくとも前身頃の領域に設けられている、上記（１）〜（２２）のいずれかに記載の吸収体物品。
（２４）前記体液の移動通路が少なくとも後身頃の領域に設けられている、上記（１）〜（２３）のいずれかに記載の吸収体物品。
【発明の効果】
【０００８】
本発明の吸収体物品は、着用時の拘束感が少なく、蒸れやかぶれの発生が抑制されている。
【図面の簡単な説明】
【０００９】
【図１】自己連結型のＦＬＧによる「体液の移動通路」の形成原理の模式的な説明図である。
【図２】本発明の吸収体物品の例を示す模式図である。
【図３】本発明の吸収体物品の実施例を示す模式的な展開平面図である。
【図４】本発明の吸収体物品の別の実施例を示す模式的な展開平面図である。
【図５】連結シート型のＦＬＧによる「体液の移動通路」の形成原理の模式的な説明図である。
【図６】本発明の吸収体物品の別の例を示す模式的な展開平面図である。
【図７】種々の連結シートを示す模式図である。
【図８】種々の連結シートを示す模式図である。
【図９】本発明の吸収体物品の更に別の実施例を示す模式図である。
【図１０】本発明の吸収体物品の更に別の例を示す模式的な展開平面図である。
【図１１】本発明の吸収体物品の更に別の例を示す模式的な展開平面図である。
【発明を実施するための形態】
【００１０】
以下、本発明の吸収体物品を添付図面に示す好適実施形態に基づいて詳細に説明する。なお、本明細書においては、本発明の吸収体物品を実際に着用した場合に、着用者の肌に近い側を「上」といい、遠い側を「下」という。また、本発明の吸収体物品を実際に着用した場合に、着用者の体の前側に対応する側を「前」といい、後側に対応する側を「後」という。また、各図中、理解を容易にするために、実際には接触している部材を離間させて示すことがある。添付した図面中の各平面図においては、図の左側に吸収体物品等の前側が位置するように図示してあり、添付した図面中の各縦端面図及び各縦断面図においては、図の左側に吸収体物品等の前側が位置するように図示してある。
また、本明細書においては、「吸収体物品本体」とは、吸収体物品の構成部材である防漏体、防漏体上に設けることができるトップシート、その他吸収体物品に設けることができる各種部材を総称していうものである。これに従い、吸収体物品がおむつである場合は、吸収体物品本体をおむつ本体と呼ぶ。
さらに、本明細書においては、「吸収体の表面」とは、吸収体が露出している場合は、その表面を意味し、吸収体が拡散シート、アクイジションシート、トップシート等で被覆されている場合は、被覆している拡散シート、アクイジションシート、トップシート等の表面を意味する。
【００１１】
初めに、本発明の吸収体物品に用いられるＦＬＧ及びＦＬＧにより形成される体液の移動通路の基本的な原理について、説明する。
ＦＬＧが体液の移動通路を形成する態様は、基本的に二つある。
第１に、左右一対のＦＬＧの垂下部が、それぞれ下端部付近で直接結合することにより、相互に連結されている態様（自己連結型）である。
第２に、左右一対のＦＬＧの垂下部が、それぞれ下端部付近で連結シートと結合することにより、相互に連結されている態様（連結シート型）である。
【００１２】
以下、自己連結型のＦＬＧを例に挙げて説明する。
図１は、自己連結型のＦＬＧによる「体液の移動通路」の形成原理の模式的な説明図である。図１は、本発明の吸収体物品の横端面におけるＦＬＧ及び吸収体のみを図示してある。
図１（Ａ）は、左右一対のＦＬＧ１が相互に連結される前の状態を示している。左右一対のＦＬＧ１は、頭部２と頭部２に連なる垂下部３とを有している。ＦＬＧ１の前端部及び後端部は、吸収体物品本体の前端部近傍及び後端部近傍にそれぞれ結合されており（図示せず）、垂下部３が頭部２から吸収体４に向かって垂れ下がるように構成されている。
このように、ＦＬＧ１は、左右一対の頭部２と頭部２から垂れ下がった垂下部３が、吸収体４の表面４ｓから浮き上がった状態（フローティング状態）で存在している。これにより、本発明の吸収体物品は、ＦＬＧの頭部が着用者の身体に強く密着しているにもかかわらず、着用時の拘束感が少なくなっている。
図１（Ｂ）は、左右一対のＦＬＧ１が相互に連結されることを可能とするために、左右一対の垂下部３が、それぞれ下端部付近で重ね合わされている状態を示している。
図１（Ｃ）は、左右一対の垂下部３が、それぞれ下端部付近の連結部５で直接結合することにより、相互に連結された状態を示している。これにより垂下部３の内面側に体液の移動通路Ｐが形成されている。体液の移動通路Ｐの上部は、左右一対の頭部２間が離間しているため、開放されている。
この状態においては、頭部２が外側に、垂下部３が内側に向くように配置されている。左右一対の垂下部３の結合は、前後方向に延在するＦＬＧの少なくとも一部で行われていればよく、この結合の部分において体液の移動通路Ｐが形成されることになる。左右一対の垂下部３を結合する方法は、特に限定されず、例えば、ホットメルト接着剤、熱シール接着剤等を用いて結合することができる。
図１（Ｄ）は、体液の移動通路Ｐを構成する部材（ここでは、ＦＬＧ１の垂下部３）が結合部６で吸収体４の表面４ｓと結合する態様を示している。体液の移動通路Ｐを構成する部材を吸収体４の表面４ｓと結合する方法は、特に限定されず、例えば、ホットメルト接着剤、熱シール接着剤等を用いて結合することができる。
このように、体液の移動通路を構成する部材は、吸収体の表面と結合していてもよく、吸収体の表面と離間していてもよい。
【００１３】
自己連結型の場合、左右一対のＦＬＧの垂下部の少なくとも一部が下端部付近で直接結合することにより相互に連結され、前記垂下部の内面側に体液の移動通路が形成されていれば、特に限定されず、種々のＦＬＧの存在状態を取ることができる。
すなわち、（１）ＦＬＧの垂下部が連結されておらず、フローティング状態で存在する態様（図１（Ａ）参照）、（２）左右一対の垂下部が連結されて体液の移動通路を形成し、体液の移動通路を構成する部材がフローティング状態で存在する態様（図１（Ｃ）参照）、及び、（３）左右一対の垂下部が連結されて体液の移動通路を形成し、体液の移動通路を構成する部材が吸収体の表面に結合して存在する態様（図１（Ｄ）参照）のうち、（２）又は（３）を含む１種又は２種以上の態様を組み合わせて用いることができる。具体的には、（２）のみを用いる態様、（３）のみを用いる態様、（２）と（３）とを併用する態様、（２）と（１）とを併用する態様、（３）と（１）とを併用する態様、（２）と（３）と（１）とを併用する態様が挙げられる。中でも、（２）と（１）とを併用する態様、（３）と（１）とを併用する態様、（２）と（３）と（１）とを併用する態様が好ましい。
【００１４】
このＦＬＧの存在状態を前後方向のどの位置に設けるか、２種以上の態様を組み合わせる場合にはどのように組み合わせるかが、吸収体物品の設計上重要なポイントとなる。
体液の移動通路が、少なくとも股下部の領域に設けられていると、体液の移動通路が尿の排出器（尿道口）の直下に位置することになるので、尿の収容が容易になる。
体液の移動通路が、少なくとも前身頃の領域に設けられていると、尿を前方から後方に移動させる通路として利用できる。
体液の移動通路が、少なくとも後身頃の領域に設けられていると、体液の移動通路が便の排出器（肛門）に近接した場所に位置することになるので、便の収容が容易になる。
【００１５】
図２は、本発明の吸収体物品の例を示す模式図である。図２（Ａ）は、展開平面図であり、図２（Ｂ）は、図２（Ａ）中のＩＩＢ−ＩＩＢ線に沿った縦端面図である。図２は、吸収体物品に応力を加えて前後方向及び左右方向に引っ張って展開し、ほぼ平面状にした状態を模式的に示している。
図２に示される本発明の吸収体物品１００は、基本的に、シート状の防漏体１０と、防漏体１０の上部に少なくとも一層配置された、体液を吸収しうる吸収体１２と、吸収体１２の上部に、吸収体物品本体の長さ方向の前端部から前身頃Ｆ、股下部Ｃ及び後身頃Ｒを経て後端部にわたって配置される左右一対のＦＬＧ１４とを具備する。
【００１６】
防漏体１０の材質は、一般に、バックシートとして用いられているものを用いることができる。具体的には、例えば、ＰＥ、ＰＰ、ＰＥＴ、ＥＶＡ等の樹脂のフィルム；前記樹脂の発泡シート等の体液不透過性シートを用いることができる。体液不透過性シートは、通気性フィルム等の通気性を有するものも好適に用いられる。
また、前記樹脂のフィルムを用いる場合には、感触や外観を向上させるために、フィルムと不織布との複層シートとして用いることもできる。この場合、不織布としては、比較的低目付のＳＢ、サーマルボンド不織布（例えば、エアスルータイプ）等が好適に用いられる。
また、前記樹脂のフィルムと後述するシート状吸収体との複層シートを用いることもできる。
また、高耐水性不織布を用いることもできる。高耐水性不織布としては、例えば、耐水度１００ｍｍＨ2Ｏ以上の耐水性を有するＳＭＳ、不織布ウェブの細孔をミクロフィブリル化セルロース（ＭＦＣ）やワックスで充填することにより耐水性を付与されたＳＭＳが挙げられる。この場合、単独で用いてもよく、フィルムと高耐水性不織布との複層シートとして用いることもできる。
【００１７】
防漏体１０は、複数の部材から構成されていてもよい。
【００１８】
防漏体１０は、シート状であり、吸収体１２等を上部に収納し、かつ、ＦＬＧ１４を配置し得るものであれば、その形状を特に限定されない。
【００１９】
本発明に用いられる吸収体１２は、体液を吸収しうるものであれば特に限定されず、従来公知の吸収体物品に用いられる吸収体を用いることができる。例えば、
粉砕された木材パルプ、粉砕された木材パルプと粒状又は粉体状のＳＡＰとを混合しマット状に成形した吸収体、薄いシート状に成形されたＳＡＰを主成分とするシート状吸収体等を用いることができる。これらの吸収体は、その形状を保持し、同時にパルプやＳＡＰから発生する微粉の発生や脱落を防ぐため、ティッシュペーパー、不織布、開孔フィルム等からなるコアラッピング材で被覆されているのが一般的である。本明細書においては、コアラッピング材が用いられている場合には、コアラッピング材も含めて「吸収体」と呼ぶ。
【００２０】
シート状吸収体は、形態安定性、ＳＡＰの脱落防止等の可能性等に優れる。
シート状吸収体の中でも、ＳＡＰを５０質量％以上、好ましくは６０質量％以上、より好ましくは７０質量％以上含有する高吸水性シートであるのが好ましい。また、高吸水性シートにおけるＳＡＰの含有量は、高吸水性シートの安定性等の点で、９５質量％以下であるのが好ましい。
【００２１】
高吸水性シートは、ＳＡＰを主成分とする極薄のシート状吸収体である。高吸水性シートは、ＳＡＰの含有量が極めて高いため、厚さが極めて薄い。高吸水性シートの厚さは、１．５ｍｍ以下であるのが好ましく、１ｍｍ以下であるのがより好ましい。
高吸水性シートは、ＳＡＰを主成分とする極薄のシート状吸収体であれば、構成や製造方法を特に限定されない。
例えば、Ａｉｒ  Ｌａｉｄ法で得られる高吸水性シートが挙げられる。Ａｉｒ  Ｌａｉｄ法は、粉砕した木材パルプとＳＡＰとを混合し、結合剤を添加してシート状に成形して高吸水性シートを得る方法である。この方法で得られる高吸水性シートとしては、例えば、米国レオニヤ（Ｒａｙｏｎｉｅｒ）社製のＮＯＶＡＴＨＩＮ（米国登録商標）、王子キノクロス社製のＢ−ＳＡＰ等が知られている。
また、ＳＡＰの分散スラリーを不織布等の体液透過性シートの上にコーティングする方法で得られる高吸水性シートも挙げられる。ここで、ＳＡＰの分散スラリーは、ＳＡＰとミクロフィブリル化セルロース（ＭＦＣ）とを、水とエタノールとの混合溶媒に分散させたものであるのが好ましい。この方法で得られる高吸水性シートとしては、例えば、（株）日本吸収体技術研究所製のＭｅｇａＴｈｉｎ（登録商標）が知られている。
そのほかに、例えば、起毛状不織布にＳＡＰを大量に担持させ、ホットメルトバインダー、エマルションバインダー、水性繊維等で固定する方法で得られる高吸水性シート、繊維状ＳＡＰをＰＥＴ（ポリエチレンテレフタレート）繊維と混合してウェブ状に成形する方法で得られる高吸水性シート、ＳＡＰ層の上下をティッシュで挟んだＳＡＰシートが挙げられる。
【００２２】
吸収体１２は、防漏体１０の上部に、少なくとも１層配置される。すなわち、吸収体１２は、１層であってもよく、２層以上（複数層）であってもよい。
また、吸収体１２は、折りたたんだ状態で配置することもできる。
【００２３】
左右一対のＦＬＧ１４は、吸収体１２の上部に、吸収体物品本体の長さ方向の前端部から前身頃Ｆ、股下部Ｃ及び後身頃Ｒを経て後端部にわたって配置される。ＦＬＧは、防漏体に結合して設けられてもよく、防漏体上に設けられたトップシートやその他の部材に結合して設けられてもよく、複数の部材にわたって結合して設けられてもよい。
【００２４】
ＦＬＧ１４は、伸縮性部材（例えば、図２中、波線で表されている並列した２本のポリウレタンフィラメント）を有して構成されている頭部１６と、頭部１６に連なる垂下部１８とを有し、頭部１６の前端部及び後端部（図２中、ポリウレタンフィラメントの存在しない部分）が、吸収体物品本体の前端部近傍及び後端部近傍にそれぞれ結合されて（前端結合部２０及び後端結合部２２が図２中に示されている。）、垂下部１８が頭部１６から吸収体１２に向かって垂れ下がるように構成されている。結合の方法は、特に限定されず、例えば、接着剤により結合する方法が挙げられる。
【００２５】
垂下部１８は、頭部１６からカーテン状に垂れ下がっており、従来のＩＬＧのように吸収体（又は吸収体を被覆するトップシート）に結合し固定され支えられて立ち上がるのではなく、基本的に吸収体１２の表面１２ｓには固定されず（後述するように一部は固定されている。）、吸収体１２の表面１２ｓから浮き上がっている。この新規なＦＬＧ１４は、このように浮き上がっている構造を有するため、本明細書においては、フローティングレッグギャザー（Ｆｌｏａｔｉｎｇ  Ｌｅｇ  Ｇａｔｈｅｒ（ｓ）：ＦＬＧ）と呼んでいる。このように浮き上がっている構造とするためには、例えば、ＦＬＧ１４における前端結合部２０と後端結合部２２との間の長さを、防漏体１０における前端結合部２０と後端結合部２２との間の長さより短くすることにより実現することができる。
【００２６】
左右一対のＦＬＧ１４の垂下部１８の一部は、下端部付近で相互に連結されている。
より具体的には、左右一対のＦＬＧ１４は、いずれも頭部１６が外側に、垂下部１８が内側に向くように配置され、左右一対のＦＬＧ１４の垂下部１８が、下端部付近で重ね合わせられ、重合せ部２４の連結部２６で直接結合することにより、相互に連結されている。
本発明においては、垂下部の少なくとも一部が下端部付近で相互に連結されていればよい。すなわち、垂下部の前後方向の全部が下端部付近で相互に連結されていてもよく、垂下部の前後方向の一部が下端部付近で相互に連結されていてもよい。
【００２７】
ＦＬＧ１４は、前端部から後端部にわたって吸収体１２の表面１２ｓに固定されておらず、吸収体１２の表面１２ｓから離間している。すなわち、ＦＬＧ１４は、完全にフローティング状態で存在している。
【００２８】
吸収体物品１００においては、ＦＬＧ１４が上述したような構成を採るため、股下部Ｃにおいて、垂下部１８の内面側に体液の移動通路Ｐが形成されている。体液の移動通路Ｐは、左右一対の垂下部１８が結合して、その内面が左右の側面と底面とを構成して形成され、着用時には、股下部Ｃは、図１（Ｃ）に示されるような態様となる。体液の移動通路Ｐの上部は、左右一対の頭部１６間が離間しているため、開放されている。
左右一対のＦＬＧ１４は、前身頃Ｆ及び後身頃Ｒにおいては、互いに結合していないので、着用時には、前身頃Ｆ及び後身頃Ｒは、それぞれ、図１（Ａ）に示されるような態様となる。
【００２９】
ＦＬＧ１４の頭部１６は、着用時においては、着用者の肌に接触し、かつ、吸収体１２の表面１２ｓとは離間した状態を保持する。
【００３０】
図３は、本発明の吸収体物品の実施例を示す模式的な展開平面図である。図３は、吸収体物品に応力を加えて前後方向及び左右方向に引っ張って展開し、ほぼ平面状にした状態を模式的に示している。以下の説明において、吸収体物品及び各部材の大きさや吸収体物品及び吸収体の重さは、子供用おむつのＭサイズ（体重の目安として約６ｋｇ以上）を想定した数値であるが、本発明はこれに限定されない。
図３に示される本発明の吸収体物品１０２は、テープ型のおむつとして構成されており、基本的に、シート状の防漏体１０ａと、防漏体１０ａの上部に少なくとも一層配置された、体液を吸収しうる吸収体１２ａと、吸収体１２ａの上部に、吸収体物品本体の長さ方向の前端部から前身頃Ｆ、股下部Ｃ及び後身頃Ｒを経て後端部にわたって配置される左右一対のＦＬＧ１４ａとを具備する。
【００３１】
防漏体１０ａは、通気性ＰＥフィルム／ＰＰ・ＳＭＳ不織布複合体のシート状防漏体により構成されている。
吸収体１２ａは、平面図上で、砂時計型を呈し、前身頃及び後身頃の幅が広い部分の左右方向の幅は、１２０ｍｍ程度、股下部を中心とする幅が狭い部分の幅は、９０ｍｍ程度、前後方向の長さは、３８０ｍｍ程度である。吸収体１２ａは、粉砕パルプ２５ｇとＳＡＰ６ｇとがティッシュペーパーにより被覆されて構成されている。この吸収体１２ａは、防漏体１０ａの上部に配置され、防漏体１０ａとトップシート３０との間に収容されている。
吸収体物品１０２における防漏体１０ａ及び吸収体１２ａは、形状等の細かい点で異なるものの、それぞれ吸収体物品１００における防漏体１０及び吸収体１２に相当するので、上述した以外、説明を省略する。
トップシート３０は、ＰＥ／ＰＰ複合繊維のエアースルー不織布（例えば、目付量１５ｇ／ｍ2、レンゴー社製）により構成されている。
吸収体物品１０２の大きさは、防漏体１０ａの大きさとほぼ一致しており、前後方向の長さは４４０ｍｍ程度、左右方向の幅は２７０ｍｍ程度である。また、吸収体物品１０２の重さは、３４ｇ程度である。
【００３２】
ＦＬＧ１４ａは、頭部１６ａと頭部１６ａに連なる垂下部１８ａとを有し、垂下部１８ａの前端部及び後端部が、吸収体物品本体の前端部近傍及び後端部近傍にそれぞれ結合されて（前端結合部２０ａ及び後端結合部２２ａが図３中に示されている。）、垂下部１８ａが頭部１６ａから吸収体１２ａに向かって垂れ下がるように構成されている。
ＦＬＧ１４ａの頭部１６ａは、並列した２本のポリウレタンフィラメントをＰＰ製のＳＭＳ不織布（例えば、目付量１５ｇ／ｍ2、ＡＶＧＯＬ社製）で被覆して構成されており、そのＳＭＳ不織布が垂れ下がった部分が垂下部１８ａを構成している。頭部１６ａの幅は１０ｍｍ程度、垂下部の幅は４０ｍｍ程度である。
【００３３】
左右一対のＦＬＧ１４ａの垂下部１８ａの一部は、下端部付近で相互に連結されている。
より具体的には、左右一対のＦＬＧ１４ａは、いずれも頭部１６ａが外側に、垂下部１８ａが内側に向くように配置され、左右一対のＦＬＧ１４ａの垂下部１８ａが、下端部付近で重ね合わせられ、重合せ部２４ａの連結部２６ａで直接結合することにより、相互に連結されている。重合せ部２４ａの幅は、１０ｍｍ程度である。連結部２６ａは、前身頃Ｆから股下部Ｃにかけて延在しており、その前後方向の長さは、１２０ｍｍ程度である。
ＦＬＧ１４ａの垂下部１８ａは、後身頃Ｒにおいては吸収体１２ａの表面１２ａｓに固定されておらず、吸収体１２ａの表面１２ａｓから離間している（フローティング状態）。垂下部１８ａの下端部、具体的には、垂下部１８ａの重合せ部２４ａの下側面は、股下部Ｃ（連結部２６ａの後部付近に相当）において結合部２８で吸収体１２ａの表面１２ａｓに固定されている。結合部２８の前後方向の長さは、４０ｍｍ程度である。
【００３４】
結合部２８は、股下部Ｃの左右方向の中央において、前後方向に延在するように線状に設けられているが、本発明はこれに限定されない。例えば、左右方向に複数本の線状としてもよく（例えば、左右一対の線状）、前後方向に２箇所以上のスポット状又は線状として設けてもよく、これらは適宜組み合わせて用いることができる。
【００３５】
吸収体物品１０２においては、ＦＬＧ１４ａが上述したような構成を採るため、股下部Ｃにおいて、垂下部１８ａの内面側に体液の移動通路Ｐが形成されている。体液の移動通路Ｐは、左右一対の垂下部１８ａが結合して、その内面が左右の側面と底面とを構成して形成され、着用時には、股下部Ｃの結合部２８が存在する部分は、図１（Ｄ）に示されるような態様となる。体液の移動通路Ｐの上部は、左右一対の頭部１６ａ間が離間しているため、開放されている。
左右一対のＦＬＧ１４ａは、前身頃Ｆの連結部２６ａにおいては、互いに結合しているが、吸収体１２ａの表面１２ａｓと結合していないので、着用時には、前身頃Ｆの連結部２６ａが存在する部分（８０ｍｍ程度）は、図１（Ｃ）に示されるような態様となる。
また、左右一対のＦＬＧ１４ａは、前身頃Ｆ及び股下部Ｃの連結部２６ａが存在しない部分及び後身頃Ｒにおいては、互いに結合していないので、着用時には、前身頃Ｆの連結部２６ａが存在する部分より前の部分（７０ｍｍ程度）及び股下部Ｃから後身頃Ｒにかけての連結部２６ａが存在しない部分（２００ｍｍ程度）は、図１（Ａ）に示されるような態様となる。
すなわち、吸収体物品１０２においては、ＦＬＧの存在状態の上記３種の態様（図１（Ａ）、図１（Ｃ）及び図１（Ｄ）に示される各態様）が全て用いられている。
【００３６】
吸収体物品１０２における体液の移動通路Ｐは、それを構成する部材である垂下部１８ａが、体液の移動通路Ｐの後端の付近において吸収体１２ａの表面１２ａｓと結合し、それ以外の部分において吸収体１２ａの表面１２ａｓと離間することにより、体液の移動通路Ｐが、固定された部分が低く、固定されていない部分が高くなっている。
換言すれば、垂下部１８ａがフローティング状態で存在し、体液の移動通路Ｐの底面の上下方向の位置が相対的に高くなっている部分が前身頃Ｆに存在し、垂下部１８ａが吸収体１２ａの表面１２ａｓに結合し、体液の移動通路Ｐの底面の上下方向の位置が相対的に低くなっている部分が股下部Ｃに存在するため、前身頃Ｆから股下部Ｃにかけて下がっていく傾斜状態が実現されている。
【００３７】
ＦＬＧ１４ａの頭部１６ａは、着用時においては、着用者の肌に接触し、かつ、吸収体１２ａの表面１２ａｓとは離間した状態を保持する。
【００３８】
吸収体物品本体の前部及び後部には、それぞれ、前部ポケット３２及び後部ポケット３４が設けられている。
前部ポケット３２は、ＳＭＳ不織布により構成され、図３に示されるように、前身頃Ｆにおいて、ＦＬＧ１４ａの左右方向の全幅（９０ｍｍ程度）を上から被覆した上で（ＳＭＳ不織布の幅は１３０ｍｍ程度）、ＳＭＳ不織布の前端部を吸収体物品本体及びＦＬＧ１４ａの前端部と、ＳＭＳ不織布の左右縁部（ＳＭＳ不織布の前後方向の長さは１００ｍｍ程度）を吸収体１２ａの左右縁部付近のトップシート３０と、それぞれ結合させて形成される。結合部３２’は、例えば、ホットメルト接着剤を用いて結合され、ＳＭＳ不織布の前端部及び左右縁部の合計３辺において、体液（主に尿）が漏れないように密閉されている。さらに、結合部３２’は、ＳＭＳ不織布の左右縁部よりやや内側においても前後方向に線状に２本存在する部分を有しており、これにより前部ポケット３２の構造が堅固になっている。
後部ポケット３４は、ＳＭＳ不織布により構成され、図３に示されるように、後身頃Ｒにおいて、ＦＬＧ１４ａの左右方向の全幅（９０ｍｍ程度）を上から被覆した上で（ＳＭＳ不織布の幅は１３０ｍｍ程度）、ＳＭＳ不織布の後端部を吸収体物品本体及びＦＬＧ１４ａの後端部と、ＳＭＳ不織布の左右縁部（ＳＭＳ不織布の前後方向の長さは８０ｍｍ程度）を吸収体１２ａの左右縁部付近のトップシート３０と、それぞれ結合させて形成される。結合部３４’は、例えば、ホットメルト接着剤を用いて結合され、ＳＭＳ不織布の後端部及び左右縁部の合計３辺において、体液（主に尿）が漏れないように密閉されている。さらに、結合部３４’は、ＳＭＳ不織布の左右縁部よりやや内側においても前後方向に線状に２本存在する部分を有しており、これにより後部ポケット３４の構造が堅固になっている。
上述したように、前部ポケット３２と後部ポケット３４とは、構造がほぼ同じであり、左右方向の幅も同じであるが、前後方向の長さ（ポケットの深さ）は、尿が前方から漏れやすいことを考慮して、前部ポケット３２の方が後部ポケット３４より深くしている。
【００３９】
このおむつの着用時においては、排出された尿は、左右一対のＦＬＧ１４ａの頭部１６ａの間の開口から受容され、股下部Ｃから前身頃Ｆにかけて存在する体液の移動通路Ｐにまず収容される。
体液の移動通路Ｐに収容された尿は、ＦＬＧ１４ａの垂下部１８ａによって囲まれているため、全量がこの体液の移動通路Ｐを経由して前及び後ろのいずれかに移動することになる。このおむつの例では、体液の移動通路Ｐにおいて前身頃Ｆから股下部Ｃにかけて下がっていく傾斜状態が存在するため、着用者の体位にもよるが、相対的に尿は後ろ側に向かって移動しやすくなる。すなわち、収容された尿のうち多くの部分は後ろ側に移動し、残りの部分は前側に移動する。
体液の移動通路Ｐにおいて当初収容された位置から後ろ側に移動した尿は、体液の移動通路Ｐが樋として機能して、体液の移動通路Ｐの後端部から吸収体１２ａ上に円滑に移動し、その後、前後左右に拡散して吸収体１２ａに吸収される。尿のうち一部がおむつ本体の後端部付近に達することがあるが、後部ポケット３４により捕捉されるため、後端部からの漏れは抑制される。
他方、体液の移動通路Ｐにおいて当初収容された位置から前側に移動した尿は、多くは体液の移動通路Ｐの前端部から落下して前部ポケット３２の内部に移動し、一部は前後左右に拡散して吸収体１２ａに吸収される。
【００４０】
このように、本発明の吸収体物品においては、排出された体液（尿）を、まず、体液の移動通路により受容し、受容した尿を吸収体に移動させるという吸収機構が実現されている。すなわち、排出された体液は、基本的に、全てこの体液の移動通路を経由して吸収体に供給される。
したがって、従来の吸収体物品において問題であった、尿が、大量にかつ勢いよく吸収体の表面に排出され、吸収体の表面を尿が移動して、吸収体物品本体の左右縁部まで達し、横漏れを生じさせるということが、極めて生じにくい。
また、吸収体の全体、特に、吸収体の後部の利用効率を高くすることができる。
【００４１】
さらに、このおむつにおいては、体液の移動通路は、基本的に体液を吸収する機能がないか、あってもその機能は小さい上、体液の移動通路には前身頃から股下部にかけて下がっていく傾斜状態が実現されているため、尿は、体液の移動通路内には滞留しない。
そして、排出された尿は、全量がこの体液の移動通路を経由して吸収体の表面に供給されるため、排出された尿のうち、着用者の肌とが接触する可能性があるのは、体液の移動通路の底面に付着して残存した少量のみであり、さらに、ＦＬＧの頭部及び体液の移動通路の側面を構成する垂下部が着用者の肌と体液の移動通路の底面とが接触することの物理的な障害となる。
したがって、使用開始から使用終了に至るまでのおむつの全使用期間（ｌｉｆｅ  ｔｉｍｅ）にわたって、着用者の肌が尿と接触する可能性は著しく抑制されている。その結果、着用者の肌は、濡れにくく、しかも、蒸れやかぶれが発生しにくい。
【００４２】
つぎに、便が排出された場合について説明する。
便は、後身頃Ｒにおいて、ＦＬＧの垂下部が連結されておらず、フローティング状態で存在する態様（図１（Ａ）参照）でＦＬＧが存在している部分に排出されるため、左右一対のＦＬＧ１４ａの頭部１６ａの間の開口から受容され、垂下部１８ａによって吸収体１２ａの表面１２ａｓにガイドされ、吸収体１２ａの表面１２ａｓ上で収容される。
便が固形便である場合は、便はそのまま収容された位置（多くは、左右方向の中央部付近）にとどまるが、水様性の便である場合は、吸収体１２ａ上に拡散して、含有水分が吸収体１２ａに吸収され、固形分が吸収体１２ａの表面１２ａｓに残る。
排出された便と着用者の肌との接触は、ＦＬＧの頭部及び垂下部が着用者の肌と吸収体の表面とが接触することの物理的な障害となるため、従来のおむつに比べて大幅に抑制される。具体的には、固形便である場合は、肛門の周辺のみが汚れるため、例えば、このおむつを高齢者用とした場合、看護者の清拭の負担が軽減されることになる。
【００４３】
本発明においては、上記構成に限定されず、例えば、従来公知の各種部材を具備することができる。
吸収体物品１０２は、上記の各部材に加え、以下に説明する各種部材を具備する。
【００４４】
防漏体１０ａの後端付近の左右両側には、着脱部材３６が設けられている。防漏体１０の前端付近の下面には、着脱部材と互いに着脱自在となるように、着脱部材（図示せず）が設けられている。これらの着脱部材は、例えば、各種面ファスナーにより構成することができる。具体的には、防漏体１０ａの後端付近の左右両側に設けられる着脱部材３２として、ベルクロテープ（雄）、防漏体１０の前端付近の下面に設けられる着脱部材として、ＴＬＺ（雌）を用いることができる。
【００４５】
また、吸収体物品１０２は、２種類のレッグギャザーを具備する。すなわち、上述したＦＬＧ１４ａの他に、吸収体物品本体の側縁部に存在するＯＬＧ３８を具備する。ＯＬＧ３８は、並列した３本のポリウレタンフィラメント（伸縮性部材）が、防漏体１０ａとトップシート３０との間に配置されることにより形成されている。
【００４６】
図４は、本発明の吸収体物品の別の実施例を示す模式的な展開平面図である。図４は、吸収体物品に応力を加えて前後方向及び左右方向に引っ張って展開し、ほぼ平面状にした状態を模式的に示している。以下の説明において、吸収体物品及び各部材の大きさや吸収体物品及び吸収体の重さは、子供用おむつのＭサイズ（体重の目安として約６ｋｇ以上）を想定した数値であるが、本発明はこれに限定されない。
図４に示される本発明の吸収体物品１０４は、基本的に、図３に示される本発明の吸収体物品１０２と同様であるが、ＦＬＧの存在状態（それによる体液の移動通路Ｐの形態）と、各種ポケットの存在状態とにおいて異なっている。
【００４７】
ＦＬＧ１４ｂは、頭部１６ｂと頭部１６ｂに連なる垂下部１８ｂとを有し、左右一対の垂下部１８ｂの一部は、下端部付近で相互に連結されている。
より具体的には、左右一対のＦＬＧ１４ｂは、いずれも頭部１６ｂが外側に、垂下部１８ｂが内側に向くように配置され、左右一対のＦＬＧ１４ｂの垂下部１８ｂが、下端部付近で重ね合わせられ、重合せ部２４ｂの連結部２６ｂで直接結合することにより、相互に連結されている。重合せ部２４ｂの幅は、１０ｍｍ程度である。連結部２６ｂは、吸収体物品本体の前端部から前身頃Ｆを経て股下部Ｃにかけて延在しており、その前後方向の長さは、２００ｍｍ程度である。
ＦＬＧ１４ｂの垂下部１８ｂは、後身頃Ｒにおいては吸収体１２ａの表面１２ａｓに固定されておらず、吸収体１２ａの表面１２ａｓから離間している（フローティング状態）。垂下部１８ｂの下端部、具体的には、垂下部１８ｂの重合せ部２６ｂの下側面は、股下部Ｃ（連結部２６ａと同一部分に相当）において結合部２８ａで吸収体１２ａの表面１２ａｓに固定されている。結合部２８ａの前後方向の長さは、２００ｍｍ程度である。
【００４８】
吸収体物品１０４においては、ＦＬＧ１４ｂが上述したような構成を採るため、前端部から前身頃Ｆを経て股下部Ｃにかけて、垂下部１８ｂの内面側に体液の移動通路Ｐが形成されている。体液の移動通路Ｐは、左右一対の垂下部１８ｂが結合して、その内面が左右の側面と底面とを構成して形成され、着用時には、前端部から前身頃Ｆを経て股下部Ｃにかけての結合部２８ａが存在する部分は、図１（Ｄ）に示されるような態様となる。体液の移動通路Ｐの上部は、左右一対の頭部１６ｂ間が離間しているため、開放されている。
左右一対のＦＬＧ１４ｂは、股下部Ｃの結合部２８ａが存在しない部分及び後身頃Ｒにおいては、互いに結合していないので、着用時には、図１（Ａ）に示されるような態様となる。
すなわち、吸収体物品１０４においては、ＦＬＧの存在状態の上記３種の態様のうち２種（図１（Ａ）及び図１（Ｄ）に示される各態様）が用いられている。
【００４９】
吸収体物品１０４における体液の移動通路Ｐは、吸収体物品本体の前端部まで延在している。すなわち、ＦＬＧ１４ｂの前端は、前端結合部２０ｂ（幅９０ｍｍ程度）で吸収体物品本体と結合している。また、体液の移動通路Ｐの前端付近において、左右一対のＦＬＧ１４ｂの頭部１６ｂは、結合部３２ａ’（前後方向の長さ４０ｍｍ程度）で吸収体物品本体と結合している。
前端結合部２０ｂ及び結合部３２ａ’は、それぞれ、例えば、ホットメルト接着剤を用いて結合され、ＦＬＧ１４ｂの前端部及び左右縁部の合計３辺において、体液（主に尿）が漏れないように密閉されている。
このように、左右一対のＦＬＧ１４ｂは、その前端において、前部ポケット３２ａを形成している。
【００５０】
さらに、体液の移動通路Ｐの前端の前部ポケット３２ａに隣接する部分の体液の移動通路Ｐの上部には、通路ポケット４０が設けられている。通路ポケット４０は、左右一対のＦＬＧ１４ｂの頭部１６ｂの間隔とほぼ同じ幅を有する耐水性シート（前後方向の長さ４０ｍｍ程度）により構成され、図４に示されるように、前身頃Ｆの前部ポケット３２ａに隣接する部分において、ＦＬＧ１４ｂの左右方向の全幅を上から被覆した上で、耐水性シートをＦＬＧ１４ｂの垂下部１８ｂと結合部４０’で結合させて形成される。換言すれば、体液の移動通路Ｐは、前部ポケット３２ａに隣接する部分において前端及び左右縁部が密閉されている。
【００５１】
ＦＬＧ１４ｂの後端は、後端結合部２２ｂ（幅９０ｍｍ程度）で吸収体物品本体と結合している。また、左右一対のＦＬＧ１４ｂの頭部１６ｂは、結合部３４ａ’（前後方向の長さ７０ｍｍ程度）で吸収体物品本体と結合している。
後端結合部２２ｂ及び結合部３４ａ’は、それぞれ、例えば、ホットメルト接着剤を用いて結合され、ＦＬＧ１４ｂの後端部及び左右縁部の合計３辺において、体液（主に尿）が漏れないように密閉されている。
このように、左右一対のＦＬＧ１４ｂは、その後端において、後部ポケット３４ａを形成している。
上述したように、前部ポケット３２ａと後部ポケット３４ａとは、構造がほぼ同じであり、左右方向の幅も同じであるが、前後方向の長さ（ポケットの深さ）は、後部ポケット３４ａの方が前部ポケット３２ａより深くしている。
【００５２】
このおむつの着用時においては、排出された尿は、左右一対のＦＬＧ１４ｂの頭部１６ｂの間の開口から受容され、股下部Ｃから前身頃Ｆにかけて存在する体液の移動通路Ｐにまず収容される。
体液の移動通路Ｐに収容された尿は、ＦＬＧ１４ｂの垂下部１８ｂによって囲まれているため、全量がこの体液の移動通路Ｐを経由して前及び後ろのいずれかに移動することになる。このおむつの例では、体液の移動通路Ｐは、それを構成する部材である垂下部１８ｂが、体液の移動通路Ｐの前端から後端まで吸収体１２ａの表面１２ａｓと結合しているため、前後方向における傾斜は存在しない。そのため、尿は、吸収体物品１０２に比べて、前側に移動しやすい。
体液の移動通路Ｐを前方に移動した尿は、通路ポケット４０でブロックされるため、一時的に通路ポケット４０内に滞留することはあるが、結局、後ろ側に移動し、体液の移動通路Ｐが樋として機能して、体液の移動通路Ｐの唯一の出口である股下部Ｃの後端部から吸収体１２ａ上に円滑に移動し、その後、前後左右に拡散して吸収体１２ａに吸収される。尿のうち一部がおむつ本体の後端部付近に達することがあるが、後部ポケット３４により捕捉されるため、後端部からの漏れは抑制される。
なお、前部ポケット３２ａは、万が一、排出された尿が、吸収体１２ａの前端部からオーバーフローした場合に、尿を受け入れる機能を奏する。
【００５３】
このように、本発明の吸収体物品においては、排出された尿を、まず、体液の移動通路により受容し、受容した尿を吸収体に移動させるという吸収機構が実現されている。
したがって、従来の吸収体物品において問題であった、尿が、大量にかつ勢いよく吸収体の表面に排出され、吸収体の表面を尿が移動して、吸収体物品本体の左右縁部まで達し、横漏れを生じさせるということが、極めて生じにくい。
また、吸収体の全体、特に、吸収体の後部の利用効率を高くすることができる。
【００５４】
さらに、このおむつにおいては、体液の移動通路は、基本的に体液を吸収する機能がないか、あってもその機能は小さいため、尿は、体液の移動通路内には滞留しない。
そして、排出された尿は、全量がこの体液の移動通路を経由して吸収体の表面に供給されるため、排出された尿のうち、着用者の肌とが接触する可能性があるのは、体液の移動通路の底面に付着して残存した少量のみであり、さらに、ＦＬＧの頭部及び体液の移動通路の側面を構成する垂下部が着用者の肌と体液の移動通路の底面とが接触することの物理的な障害となる。
したがって、使用開始から使用終了に至るまでのおむつの全使用期間（ｌｉｆｅ  ｔｉｍｅ）にわたって、着用者の肌が尿と接触する可能性は著しく抑制されている。
【００５５】
便が排出された場合の機能は、吸収体物品１０２の場合と同様である。
【００５６】
つぎに、連結シート型のＦＬＧを例に挙げて説明する。
図５は、連結シート型のＦＬＧによる「体液の移動通路」の形成原理の模式的な説明図である。図５は、本発明の吸収体物品の横端面におけるＦＬＧ、連結シート及び吸収体のみを図示してある。
図５（Ａ）は、左右一対のＦＬＧ１’が相互に連結される前の状態を示している。左右一対のＦＬＧ１’は、頭部２’と頭部２’に連なる垂下部３’とを有している。ＦＬＧ１’の前端部及び後端部は、吸収体物品本体の前端部近傍及び後端部近傍にそれぞれ結合されており（図示せず）、垂下部３’が頭部２’から吸収体４’に向かって垂れ下がるように構成されている。
このように、ＦＬＧ１’は、左右一対の頭部２’と頭部２’から垂れ下がった垂下部３’が、吸収体４’の表面４’ｓから浮き上がった状態（フローティング状態）で存在している。この点は、自己連結型の場合と同様である（図１（Ａ）参照）。
連結シート型の場合、左右一対のＦＬＧ１’の垂下部３’が、下端部付近で連結シート７と結合することにより、相互に連結されるのであるが、好適な態様の例として、垂下部３’の内側の面と連結シート７とが結合している態様（図５（Ｂ）〜図５（Ｄ））と、垂下部３’の外側の面と連結シート８とが結合している態様（図５（Ｅ）〜図５（Ｇ））とが挙げられる。以下、それぞれ説明する。
【００５７】
図５（Ｂ）は、左右一対のＦＬＧ１’が相互に連結されることを可能とするために、左右一対の垂下部３’が、それぞれ下端部付近で、連結シート７と重ね合わされている状態を示している。より具体的には、垂下部３’の内側の面と連結シート７の左右縁部の下側の面とが重ね合わされている。連結シート７は、垂下部３’の内側の面と結合するので、以下、「内部連結シート」ともいう。
図５（Ｃ）は、左右一対の垂下部３’が、それぞれ下端部付近の内側の面の連結部５’で連結シート７の左右縁部の下側の面と結合することにより、相互に連結された状態を示している。これにより垂下部３’の内面側に体液の移動通路Ｐが形成されている。体液の移動通路Ｐの上部は、左右一対の頭部２’間が離間しているため、開放されている。
左右一対の垂下部３’と連結シート７との結合は、前後方向に延在するＦＬＧの少なくとも一部で行われていればよく、この結合の部分において体液の移動通路Ｐが形成されることになる。左右一対の垂下部３’を連結シート７と結合する方法は、特に限定されず、例えば、ホットメルト接着剤、熱シール接着剤等を用いて結合することができる。
図５（Ｄ）は、体液の移動通路Ｐを構成する部材が結合部６’で吸収体４’の表面４’ｓと結合する態様を示している。この態様では、体液の移動通路Ｐを構成する部材のうち、連結シート７が吸収体４’の表面４’ｓと結合しているが、本発明はこれに限定されず、ＦＬＧの垂下部が吸収体の表面と結合していてもよく、連結シートとＦＬＧの垂下部との両者が吸収体の表面と結合していてもよい。体液の移動通路Ｐを構成する部材を吸収体の表面と結合する方法は、特に限定されず、例えば、ホットメルト接着剤、熱シール接着剤等を用いて結合することができる。
このように、体液の移動通路を構成する部材は、吸収体の表面と結合していてもよく、吸収体の表面と離間していてもよい。
【００５８】
連結シート型のうち内部連結シートを用いる場合、左右一対のＦＬＧの垂下部の少なくとも一部が下端部付近で内側の面で連結シートと結合することにより相互に連結され、前記垂下部の内面側に体液の移動通路が形成されていれば、特に限定されず、種々のＦＬＧの存在状態を取ることができる。
すなわち、（１）ＦＬＧの垂下部が連結されておらず、フローティング状態で存在する態様（図５（Ａ）参照）、（２ａ）左右一対の垂下部が内部連結シートで連結されて体液の移動通路を形成し、体液の移動通路を構成する部材がフローティング状態で存在する態様（図５（Ｃ）参照）、及び、（３ａ）左右一対の垂下部が内部連結シートで連結されて体液の移動通路を形成し、体液の移動通路を構成する部材が吸収体の表面に結合して存在する態様（図５（Ｄ）参照）のうち、（２ａ）又は（３ａ）を含む１種又は２種以上の態様を組み合わせて用いることができる。具体的には、（２ａ）のみを用いる態様、（３ａ）のみを用いる態様、（２ａ）と（３ａ）とを併用する態様、（２ａ）と（１）とを併用する態様、（３ａ）と（１）とを併用する態様、（２ａ）と（３ａ）と（１）とを併用する態様が挙げられる。中でも、（２ａ）と（１）とを併用する態様、（３ａ）と（１）とを併用する態様、（２ａ）と（３ａ）と（１）とを併用する態様が好ましい。
このＦＬＧの存在状態を前後方向のどの位置に設けるか、２種以上の態様を組み合わせる場合にはどのように組み合わせるかが、吸収体物品の設計上重要なポイントとなる。
【００５９】
図５（Ｅ）は、左右一対のＦＬＧ１’が相互に連結されることを可能とするために、左右一対の垂下部３’が、それぞれ下端部付近で、連結シート８と重ね合わされている状態を示している。より具体的には、垂下部３’の外側の面と連結シート８の左右縁部付近の上側の面とが重ね合わされている。連結シート８は、垂下部３’の外側の面と結合するので、以下、「外部連結シート」ともいう。
図５（Ｆ）は、左右一対の垂下部３’が、それぞれ下端部付近の外側の面の連結部５’で連結シート８の左右縁部付近の上側の面と結合することにより、相互に連結された状態を示している。これにより垂下部３’の内面側に体液の移動通路Ｐが形成されている。体液の移動通路Ｐの上部は、左右一対の頭部２’間が離間しているため、開放されている。
左右一対の垂下部３’と連結シート８との結合は、前後方向に延在するＦＬＧの少なくとも一部で行われていればよく、この結合の部分において体液の移動通路Ｐが形成されることになる。左右一対の垂下部３’を連結シート８と結合する方法は、特に限定されず、例えば、ホットメルト接着剤、熱シール接着剤等を用いて結合することができる。
図５（Ｇ）は、体液の移動通路Ｐを構成する部材が結合部６’で吸収体４’の表面４’ｓと結合する態様を示している。この態様では、体液の移動通路Ｐを構成する部材のうち、連結シート８が吸収体４’の表面４’ｓと結合しているが、本発明はこれに限定されず、ＦＬＧの垂下部が吸収体の表面と結合していてもよく、連結シートとＦＬＧの垂下部との両者が吸収体の表面と結合していてもよい。体液の移動通路Ｐを構成する部材を吸収体の表面と結合する方法は、特に限定されず、例えば、ホットメルト接着剤、熱シール接着剤等を用いて結合することができる。
このように、体液の移動通路を構成する部材は、吸収体の表面と結合していてもよく、吸収体の表面と離間していてもよい。
【００６０】
連結シート型のうち外部連結シートを用いる場合、左右一対のＦＬＧの垂下部の少なくとも一部が下端部付近で外側の面で連結シートと結合することにより相互に連結され、前記垂下部の内面側に体液の移動通路が形成されていれば、特に限定されず、種々のＦＬＧの存在状態を取ることができる。
すなわち、（１）ＦＬＧの垂下部が連結されておらず、フローティング状態で存在する態様（図５（Ａ）参照）、（２ｂ）左右一対の垂下部が外部連結シートで連結されて体液の移動通路を形成し、体液の移動通路を構成する部材がフローティング状態で存在する態様（図５（Ｆ）参照）、及び、（３ｂ）左右一対の垂下部が外部連結シートで連結されて体液の移動通路を形成し、体液の移動通路を構成する部材が吸収体の表面に結合して存在する態様（図５（Ｇ）参照）のうち、（２ｂ）又は（３ｂ）を含む１種又は２種以上の態様を組み合わせて用いることができる。具体的には、（２ｂ）のみを用いる態様、（３ｂ）のみを用いる態様、（２ｂ）と（３ｂ）とを併用する態様、（２ｂ）と（１）とを併用する態様、（３ｂ）と（１）とを併用する態様、（２ｂ）と（３ｂ）と（１）とを併用する態様が挙げられる。中でも、（２ｂ）と（１）とを併用する態様、（３ｂ）と（１）とを併用する態様、（２ｂ）と（３ｂ）と（１）とを併用する態様が好ましい。
このＦＬＧの存在状態を前後方向のどの位置に設けるか、２種以上の態様を組み合わせる場合にはどのように組み合わせるかが、吸収体物品の設計上重要なポイントとなる。
【００６１】
図６は、本発明の吸収体物品の別の例を示す模式的な展開平面図である。図６は、吸収体物品に応力を加えて前後方向及び左右方向に引っ張って展開し、ほぼ平面状にした状態を模式的に示している。
図６に示される本発明の吸収体物品１０６は、基本的に、図２に示される吸収体物品１００と同様であるが、ＦＬＧの形状、存在状態、連結態様等において異なる。
【００６２】
ＦＬＧ１４ｃは、頭部１６ｃと頭部１６ｃに連なる垂下部１８ｃとを有し、垂下部１８ｃの前端部及び後端部が、吸収体物品本体の前端部近傍及び後端部近傍にそれぞれ結合されて（前端結合部２０ｃ及び後端結合部２２ｃが図６中に示されている。）、垂下部１８ｃが頭部１６ｃから吸収体１２ｃに向かって垂れ下がるように構成されている。
【００６３】
左右一対のＦＬＧ１４ｃの垂下部１８ｃの一部は、下端部付近で連結シート４２により相互に連結されている。
より具体的には、左右一対のＦＬＧ１４ｃは、いずれも頭部１６ｃが外側に、垂下部１８ｃが内側に向くように、かつ、左右一対のＦＬＧ１４ｃの垂下部１８ｃが間隔ｄを保って配置され、それぞれ下端部付近で、その内側の面（上側の面）において、連結シート４２の左右縁部の下側の面と重ね合わされ、連結シート４２と連結部４４で結合することにより、相互に連結されている。
左右一対の垂下部１８ｃは、間隔ｄを保って互いに対向している。間隔ｄは、特に限定されないが、例えば、子供用おむつ（Ｍサイズ）とする場合、２０〜８０ｍｍ程度とするのが好ましい。また、吸収体物品１０６においては、間隔ｄが吸収体物品本体の前端部から後端部まで一定であるが、本発明はこれに限定されない。
【００６４】
連結シート４２は、股下部Ｃの連結シート４２の後端部付近において、下側面が結合部４６で吸収体１２の表面１２ｓに固定されている。
連結シート４２は、股下部Ｃの連結シート４２の後端部付近以外の部分において、吸収体１２の表面１２ｓに固定されておらず、吸収体１２の表面１２ｓから離間している（フローティング状態）。
【００６５】
吸収体物品１０６においては、ＦＬＧ１４ｃが上述したような構成を採るため、前身頃Ｆから股下部Ｃにかけて、垂下部１８ｃの内面側に体液の移動通路Ｐが形成されている。体液の移動通路Ｐは、左右一対の垂下部１８ｃと連結シート４２とが結合して、主に垂下部１８ｃの内面が左右の側面を構成し、主に連結シート４２が底面を構成して形成され、着用時には、股下部Ｃにおける結合部４６が存在する部分は、図５（Ｄ）に示されるような態様となる。体液の移動通路Ｐの上部は、左右一対の頭部１６ｃ間が離間しているため、開放されている。
左右一対のＦＬＧ１４ｃは、前身頃Ｆから股下部Ｃの結合部４６が存在しない部分においては、連結シート４２により連結されているが、連結シート４２は吸収体１２の表面１２ｓと結合していないので、着用時には、図５（Ｃ）に示されるような態様となる。
左右一対のＦＬＧ１４ｃは、前身頃Ｆ及び後身頃Ｒの連結シート４２が存在しない部分においては、互いに結合していないので、着用時には、図５（Ａ）に示されるような態様となる。
すなわち、吸収体物品１０６においては、ＦＬＧの存在状態の上記３種の態様（図５（Ａ）、図５（Ｃ）及び図５（Ｄ）に示される各態様）が全て用いられている。
【００６６】
なお、図６に示される吸収体物品１０６は、連結シート型のうち内部連結シートを用いた内部連結タイプであり、ＦＬＧ１４ｃの垂下部１８ｃと連結シート４２とが重なっている部分においては、下から上に、吸収体１２／ＦＬＧ１４ｃ／連結シート４２の順で配置されているが、これを下から上に、吸収体／連結シート／ＦＬＧの順で配置すると、連結シート型のうち外部連結シートを用いた外部連結タイプ（図５（Ｆ）及び図５（Ｇ）参照）とすることができる。
【００６７】
連結シート型の吸収体物品は、第１に、体液の移動通路Ｐの底面の幅を容易に大きくすることができるため、これによって体液の移動通路Ｐの断面積を大きくすることができ、体液の受容量を大きくすることができるという利点を有する。
また、連結シート型の吸収体物品は、第２に、連結シートにより、新たな性能を追加することができるという利点を有する。この第２の利点について、以下説明する。
【００６８】
図７及び図８は、それぞれ種々の連結シートを示す模式図である。図７（Ａ）〜図７（Ｅ）、図８（Ａ）、図８（Ｃ）及び図８（Ｅ）は、いずれも平面図であり、図８（Ｂ）は、図８（Ａ）中のＶＩＩＩＢ−ＶＩＩＩＢ線に沿った横端面図であり、図８（Ｄ）は、図８（Ｃ）中のＶＩＩＩＤ−ＶＩＩＩＤ線に沿った横端面図である。
【００６９】
図７（Ａ）に示される連結シート４２ａは、帯状（テープ状）の連結シートであり、前後方向の長さＬが左右方向の幅Ｗに比べて格段に長い。幅Ｗは、２０〜５０ｍｍであるのが好ましく、また、長さＬは、１００〜３００ｍｍであるのが好ましい。幅Ｗは、２０〜５０ｍｍであるのが好ましく、また、長さＬは、幅Ｗの２倍以上であるのが好ましく、３倍以上であるのがより好ましい。連結シート４２ａの後部には、左右一対のＦＬＧの垂下部と結合するための連結部４４ａが設けられる。結合部は、内部連結タイプの吸収体物品の場合、連結シートの下側の面に設けられ、外部連結タイプの吸収体物品の場合、連結シートの上側の面に設けられる（図７及び図８に示される他の連結シートについても同様である。）。
【００７０】
図７（Ｂ）に示される連結シート４２ｂは、ほぼ長方形の形状を有する縦長の連結シートであり、前後方向の長さＬが左右方向の幅Ｗに比べて長いが、帯状（テープ状）の連結シート４２ａに比べて幅が広くなっている。幅Ｗは、５０〜１００ｍｍであるのが好ましく、また、長さＬは、１００〜３００ｍｍであるのが好ましい。連結シート４２ｂの後部には、左右一対のＦＬＧの垂下部と結合するための連結部４４ｂが設けられる。連結シート４２ｂは、主として外部連結シートとして用いられるが、内部連結シートとして用いることもできる。
【００７１】
図７（Ｃ）に示される連結シート４２ｃは、ほぼ長方形の形状を有する縦長の連結シートであり、連結シート４２ｂと同じ形状（長さＬ及び幅Ｗも同じ）であるが、左右一対のＦＬＧの垂下部と結合するための連結部４４ｃ及び４４ｃ’が設けられる点で、異なる。
連結部４４ｃは、連結シート４２ｃの前部の左右縁部付近に設けられ、ＦＬＧの垂下部の上部（頭部付近）と結合するために設けられる。
他方、連結部４４ｃ’は、連結シート４２ｃの後部の左右方向の中央付近に設けられ、ＦＬＧの垂下部の下部（下端付近）と結合するために設けられる。
連結シート４２ｃは、このような連結部４４ｃ及び４４ｃ’でＦＬＧの垂下部と結合するため、体液の移動通路Ｐの底面が前方では高く、後方では低くなり、傾斜状態を実現することができる。このように、左右一対のＦＬＧの垂下部と連結シートとの結合の上下方向の位置が、前後方向において複数あることにより、体液の移動通路の前後方向における高低差が設けられているのが、本発明の吸収体物品の好適な態様の一つである。
【００７２】
図７（Ｄ）に示される連結シート４２ｄは、ほぼ長方形の形状を有する横長の連結シートであり、左右方向の幅Ｗが前後方向の長さＬに比べて長くなっている。幅Ｗは、１００〜２５０ｍｍであるのが好ましく、また、長さＬは、５０〜２００ｍｍであるのが好ましい。このように、連結シートの前後方向の長さが連結シートの左右方向の幅以下であるのは、本発明の好ましい態様の一つである。
連結シート４２ｄの前部から後部にかけて左右方向の中央付近に、左右一対のＦＬＧの垂下部と結合するための連結部４４ｄが設けられる。連結シート４２ｄは、主として外部連結シートとして用いられるが、内部連結シートとして用いることもできる。
【００７３】
図７（Ｅ）に示される連結シート４２ｅは、前端が幅広、後端が幅狭のほぼ四角形の形状を有する縦長の連結シートであり、前後方向の長さＬが左右方向の幅Ｗ１及びＷ２に比べて長くなっている。幅Ｗ１は、５０〜１００ｍｍであるのが好ましく、幅Ｗ２は、２０〜５０ｍｍであるのが好ましく、また、長さＬは、５０〜２５０ｍｍであるのが好ましい。
連結部４４ｅは、連結シート４２ｅの前部の左右縁部付近に設けられ、ＦＬＧの垂下部の上部（頭部付近）と結合するために設けられる。
他方、連結部４４ｅ’は、連結シート４２ｅの後部の左右縁部付近に設けられ、ＦＬＧの垂下部の下部（下端付近）と結合するために設けられる。
連結シート４２ｅは、このような連結部４４ｅ及び４４ｅ’でＦＬＧの垂下部と結合するため、体液の移動通路Ｐの底面が前方では高く、後方では低くなり、傾斜状態を実現することができる。
【００７４】
図７（Ｅ）に示される連結シート４２ｅは、前端が幅広、後端が幅狭のほぼ四角形の形状を有する縦長の連結シートであるが、これを前後逆にした、前端が幅狭、後端が幅広のほぼ四角形の形状を有する縦長の連結シートを用いることもできる。この場合、体液の移動通路Ｐの底面が前方では低く、後方では高くなり、連結シート４２ｅとは逆の傾斜状態を実現することができる。
【００７５】
体液の移動通路Ｐのキャパシティは、主に通路の断面積により決定される。通路の断面積は、形状にもよるが、例えば、体液の移動通路Ｐが底面と左右両側の側面とにより形成される場合、底面の左右方向の幅と、側面の上下方向の高さとに依存する。
ここで、底面の左右方向の幅は、主に一対の垂下部の下端同士の距離により規定され、また、側面の上下方向の高さは、主に垂下部の長さ（上下方向の高さ）により規定されるため、体液の移動通路Ｐの形状を維持したままキャパシティを大きくすることは困難である。
本発明者は、これに対し、以下のように、体液の移動通路Ｐの形状を工夫してキャパシティを大きくすることに想到した。
【００７６】
図８（Ａ）及び図８（Ｂ）に示される連結シート４２ｆは、折り返し型の連結シートである。
連結シート４２ｆは、長方形のシートの左右両縁部を上側において、内側に折り返した形状を有する。幅Ｗは、５０〜１５０ｍｍであるのが好ましく、また、長さＬは、１００〜３００ｍｍであるのが好ましい。折り返し部の縁部間の距離ｄは、左右一対のＦＬＧの垂下部間の距離にもよるが、２０〜８０ｍｍであるのが好ましい。
連結シート４２ｆの折り返し部の左右縁部付近には、前部から後部にかけて左右一対のＦＬＧの垂下部と結合するための連結部４４ｆが設けられる。
連結シート４２ｆは、折り返し部を有しているので、これにより形成される体液の移動通路Ｐの体液排出時における断面積は、折り返し部を有していない場合に比べて、格段に大きくなる。
【００７７】
図８（Ｃ）及び図８（Ｄ）に示される連結シート４２ｇは、折り畳み型の連結シートである。
連結シート４２ｇは、長方形のシートの左右縁部を、上側において、内側に折り返し、内側に折り返された部分を更に外側に折り返した形状を有する。幅Ｗは、５０〜１５０ｍｍであるのが好ましく、また、長さＬは、１００〜３００ｍｍであるのが好ましい。折り返し部の最も内側の部分間の距離ｄは、左右一対のＦＬＧの垂下部間の距離にもよるが、２０〜８０ｍｍであるのが好ましい。
連結シート４２ｇの折り返し部の左右縁部付近には、前部から後部にかけて左右一対のＦＬＧの垂下部と結合するための連結部４４ｇが設けられる。
連結シート４２ｇは、二重の折り返し部（折り畳み部）を有しているので、これにより形成される体液の移動通路Ｐの体液排出時における断面積は、二重の折り返し部を有していない場合に比べて、格段に大きくなる。
【００７８】
以上のような折り返し型や折り畳み型の連結シートを用いると、体液排出時においては、体液の移動通路Ｐの断面積が大きくなり、体液の受け入れに余裕を持ったオムツの設計が可能になる。
【００７９】
図８（Ｅ）に示される連結シート４２ｈは、帯状（テープ状）のシート４２ｈ’とほぼ長方形の形状を有する横長のシート４２ｈ”とを組み合わせた連結シートである。具体的には、シート４２ｈ’の下側にシート４２ｈ”を配置して結合させて得られる。シート４２ｈ’の好適な大きさは、上述した図７（Ａ）に示される連結シート４２ａと同様である。シート４２ｈ”の好適な大きさは、上述した図７（Ｄ）に示される連結シート４２ｄと同様である。
シート４２ｈ”の前部から後部にかけて左右縁部付近に、左右一対のＦＬＧの垂下部と結合するための連結部４４ｈが設けられる。連結シート４２ｈは、主として外部連結シートとして用いられるが、内部連結シートとして用いることもできる。
連結シート４２ｈは、シート４２ｈ’が親水性材料により構成され、かつ、シート４２ｈ”が疎水性材料で構成されているのが好ましい。この場合、体液の移動通路Ｐの底面の左右縁部又は底面の左右縁部から側面にかけての部分を形成するシート４２ｈ”が疎水性を示し、体液の移動通路Ｐの左右の底面の中央部を形成するシート４２ｈ’が親水性を示すため、体液が左右の縁部から中央部に移動しやすく、体液の円滑な移動が可能となる。
【００８０】
連結シートに用いられる材料としては、体液の移動通路Ｐの側面を形成するＦＬＧの垂下部と同様に、耐水性を有するＰＥ、ＰＰのＳＢ、ＳＭＳ等の疎水性不織布が好適に挙げられる。
【００８１】
また、親水性不織布と耐水性不織布とを組み合わせた複合材料（例えば、図８（Ｅ）に示される連結シート４２ｈにおいて、シート４２ｈ’が親水性材料により構成され、かつ、シート４２ｈ”が疎水性材料で構成されている態様）；親水性シートに耐水性材料を複合させ一体化した、ティッシュ／ＰＥ樹脂ラミネート、ＴＣＦ／ＰＥフィルム接合体等が好適に挙げられる。
連結シートは体液の移動通路Ｐの底面を形成するため、体液を受け入れるのとともに、体液を円滑に移動させる材料であることが重要であり、このためには、耐水性とともに体液の浸透性を併有するのが好ましいからである。
【００８２】
連結シートは、親水性材料により構成されていてもよく、疎水性材料により構成されていてもよく、親水性材料と疎水性材料との組合せにより構成されてもよく、親水性と疎水性とを複合した材料により構成されていてもよい。
【００８３】
本発明においては、親水性材料としては、例えば、ティッシュ、レーヨン、リヨセル、コットン、ＰＶＡ等の親水性繊維を混合成形した不織布；ＳＢ、ＳＭＳ等のスパンメルト不織布を界面活性剤で処理し水浸透性を賦与した不織布が好適に挙げられる。
疎水性材料又は耐水性材料としては、例えば、ＰＥフィルム、ＰＰフィルム、ＥＶＡフィルム、エラストマーフィルム等の薄くて比較的ソフトなフィルム類；ＰＥ、ＰＰ、ＰＥ／ＰＰ、ＰＥ／ＰＥＴ等を主成分にした耐水性を持つスパンメルト不織布類が好適に挙げられる。
親水性材料と疎水性材料との組合せとしては、例えば、上述した親水性材料と上述した疎水性材料とをそれぞれ適宜組み合わせたものが挙げられる。
親水性と疎水性とを複合した材料としては、例えば、ＰＥフィルムとティッシュとの積層シート、ＰＰ製のＳＭＳとティッシュとの積層シート、ＰＰ製のＳＢとセルロース系不織布との積層シートが挙げられる。
【００８４】
以下、連結シート型のＦＬＧを具備する本発明の吸収体物品について、実施例に基づき、より具体的に説明する。
【００８５】
図９は、本発明の吸収体物品の更に別の実施例を示す模式図である。図９（Ａ）は、吸収体物品に応力を加えて前後方向及び左右方向に引っ張って展開し、ほぼ平面状にした状態を模式的に示した平面展開図である。図９（Ｂ）は、吸収体物品に応力を加えない場合の（弛緩状態の）図９（Ａ）中のＩＸＢ−ＩＸＢ線に沿った縦断面図である。
図９に示される吸収体物品１０８は、テープ型のおむつとして構成されており、基本的に、図３に示される本発明の吸収体物品１０２と同様であるが、ＦＬＧが連結シートにより連結されている点（それによる体液の移動通路Ｐの形態）と、前部ポケット及び後部ポケットを有しない点において異なっている。以下の説明において、吸収体物品及び各部材の大きさや吸収体物品及び吸収体の重さは、子供用おむつのＭサイズ（体重の目安として約６ｋｇ以上）を想定した数値であるが、本発明はこれに限定されない。図１０に示される吸収体物品１１０及び図１１に示される吸収体物品１１２においても同様である。
左右一対のＦＬＧ１４ｄは、頭部１６ｄと頭部１６ｄに連なる垂下部１８ｄとを有し、垂下部１８ｄの前端部及び後端部が、吸収体物品本体の前端部近傍及び後端部近傍にそれぞれ結合されて（前端結合部２０ｄ及び後端結合部２２ｄが図９中に示されている。）、垂下部１８ｄが頭部１６ｄから吸収体１２ａに向かって垂れ下がるように構成されている。
【００８６】
左右一対のＦＬＧ１４ｄの垂下部１８ｄの一部は、下端部付近で連結シート４２ｉにより相互に連結されている。
より具体的には、左右一対のＦＬＧ１４ｄは、いずれも頭部１６ｄが外側に、垂下部１８ｄが内側に向くように配置され、左右一対のＦＬＧ１４ｄの垂下部１８ｄが、それぞれ下端部付近で、その外側の面（下側の面）において、連結シート４２ｉと連結部４４ｉで結合することにより、相互に連結されている。
連結シート４２ｉを構成する材料は、ティッシュ（目付量２０ｇ／ｍ２）とＬＬＤＰＥ（厚さ２０μｍ）とのラミネートシート（大王製紙社製）である。
連結シート４２ｉは、図７（Ｄ）に示される連結シート４２ｄと同様に、ほぼ長方形の形状を有する横長の連結シートであり、左右方向の幅Ｗが前後方向の長さＬに比べて長くなっている。幅Ｗは、１１０ｍｍであり、また、長さＬは、１００ｍｍである。連結シート４２ｉの前部から後部にかけての左右方向の中央付近及び連結シート４２ｉの前端部において、左右一対のＦＬＧ１４ｄの垂下部１８ｄと、連結部４４ｉで結合している。連結シート４２ｉは、外部連結シートとして用いられている。
連結シート４２ｉは、その後端の縁部が左右方向の全体にわたって吸収体１２ａの表面１２ａｓと結合部４６ａで結合している。結合部４６ａは、幅が約１０ｍｍである。
【００８７】
このような構成のＦＬＧ１４ｄ及び連結シート４２ｉは、例えば、以下の方法により設けることができる。
まず、連結シート４２ｉの後端の縁部を吸収体１２ａの表面１２ａｓと結合部４６ａでホットメルト接着剤により結合させる。
ついで、ＦＬＧ１４ｄを、頭部１６ｄが外側に、垂下部１８ｄが内側になり、垂下部１８ｄの下端同士の距離ｄが２０ｍｍとなるように対向するように、引っ張りつつ配置し、ＦＬＧ１４ｄの前後端部とおむつ本体の前後端部とをホットメルト接着剤により前端結合部２０ｄ及び後端結合部２２ｄで結合させる。
それと同時に、ＦＬＧ１４ｄの垂下部１８ｄの下端近傍等を、あらかじめ吸収体１２ａの表面１２ａｓ上に設けておいた連結シート４２ｉと、ホットメルト接着剤により、前後方向の長さが１００ｍｍの連結部４４ｉで結合させる。これにより長さ１００ｍｍの体液の移動通路Ｐが前身頃Ｆから股下部Ｃにかけて形成される。
【００８８】
連結シート４２ｉは、その後端部が吸収体１２ａの表面１２ａｓに結合し、固定されている。このため、連結シート４２ｉにより形成される体液の移動通路Ｐの底面は、前端部から後端部にかけて、配置位置の高さが低くなっている傾斜状態を実現している（特に、図９（Ｂ）参照）。
したがって、吸収体物品１０８においては、股下部Ｃの結合部４６ａの部分では、（３ｂ）左右一対の垂下部が外部連結シートで連結されて体液の移動通路を形成し、体液の移動通路を構成する部材が吸収体の表面に結合して存在する態様（図５（Ｇ）参照）となっており、前身頃Ｆから股下部Ｃの連結シート４２ｉが存在する部分（結合部４６ａの部分を除く。）では、（２ｂ）左右一対の垂下部が外部連結シートで連結されて体液の移動通路を形成し、体液の移動通路を構成する部材がフローティング状態で存在する態様（図５（Ｆ）参照）となっており、これら以外の部分では、（１）ＦＬＧの垂下部が連結されておらず、フローティング状態で存在する態様（図５（Ａ）参照）となっており、３種の態様が併用されている。
【００８９】
図１０は、本発明の吸収体物品の更に別の例を示す模式的な展開平面図である。図１０は、吸収体物品に応力を加えて前後方向及び左右方向に引っ張って展開し、ほぼ平面状にした状態を模式的に示している。
図１０に示される吸収体物品１１０は、テープ型のおむつとして構成されており、基本的に、図９に示される本発明の吸収体物品１０８と同様であるが、連結シートの形状及び配置状態が異なっている。
【００９０】
左右一対のＦＬＧ１４ｄの垂下部１８ｄの一部は、下端部付近で連結シート４２ｊにより相互に連結されている。
より具体的には、左右一対のＦＬＧ１４ｄは、いずれも頭部１６ｄが外側に、垂下部１８ｄが内側に向くように配置され、左右一対のＦＬＧ１４ｄの垂下部１８ｄが、それぞれ下端部付近で、その内側の面（上側の面）において、連結シート４２ｊと連結部４４ｊ及び４４ｊ’で結合することにより、相互に連結されている。
連結シート４２ｊは、図８（Ｅ）に示される連結シート４２ｈの好適な態様と同様に、親水性のシート４２ｊ’と疎水性のシート４２ｊ”とを組み合わせて構成されている。具体的には、左右方向の幅１３０ｍｍ、前後方向の長さ１８０ｍｍのＰＰ製のＳＭＳ（目付量１５ｇ／ｍ２、ＡＶＧＯＬ社製）からなる疎水性のシート４２ｊ”とその上の左右方向の幅５０ｍｍ、前後方向の長さ２１５ｍｍのＴＣＦ（目付量２５ｇ／ｍ２、二村化学社製）からなる親水性のシート４２ｊ’をホットメルト接着剤により結合させたものであり、シート４２ｊ’の後端部は、後身頃方向に３５ｍｍ突出した構成になっている。
【００９１】
連結シート４２ｊのシート４２ｊ”の前部は、左右一対のＦＬＧ１４ｄの垂下部１８ｄの上部と、連結部４４ｊで結合している。また、連結シート４２ｊのシート４２ｊ’の後部は、左右一対のＦＬＧ１４ｄの垂下部１８ｄの下部と、連結部４４ｊ’で結合している。連結シート４４ｉは、内部連結シートとして用いられている。
連結シート４２ｊは、その後端の左右方向の中央部が吸収体１２ａの表面１２ａｓと結合部４６ｂで結合している。結合部４６ｂは、前後方向の長さが約８５ｍｍである。
【００９２】
連結シート４２ｊは、上述したように、前部において垂下部１８ｄの上部と、後部において垂下部１８ｄの下部と結合し、かつ、後端部が吸収体１２ａの表面１２ａｓに結合し、固定されている。このため、連結シート４２ｊにより形成される体液の移動通路Ｐの底面は、前端部から後端部にかけて、配置位置の高さが低くなっている傾斜状態を実現している。
したがって、吸収体物品１１０においては、股下部Ｃの結合部４６ｂの部分では、（３ａ）左右一対の垂下部が内部連結シートで連結されて体液の移動通路を形成し、体液の移動通路を構成する部材が吸収体の表面に結合して存在する態様（図５（Ｄ）参照）となっており、前身頃Ｆから股下部Ｃの連結シート４２ｊが存在する部分（結合部４６ｂの部分を除く。）では、（２ａ）左右一対の垂下部が内部連結シートで連結されて体液の移動通路を形成し、体液の移動通路を構成する部材がフローティング状態で存在する態様（図５（Ｃ）参照）となっており、これら以外の部分では、（１）ＦＬＧの垂下部が連結されておらず、フローティング状態で存在する態様（図５（Ａ）参照）となっており、３種の態様が併用されている。
【００９３】
また、吸収体物品１１０においては、連結シート４２ｊが、ＦＬＧ１４ｄの垂下部１８ｄの体液の移動通路Ｐを形成する部分（結合部４４ｊの前端から結合部４４ｊ’の後端までの部分）の後端を超えて設けられている。これにより、排出された体液が、体液の移動通路Ｐの後部出口から吸収体１２ａの表面１２ａｓ上へと円滑に移動することが可能となっている。
本発明においては、これに限定されず、連結シートが、左右一対のＦＬＧの垂下部の体液の移動通路を形成する部分の前端及び／又は後端を超えて設けられているのが好ましい態様の一つである。
【００９４】
図１１は、本発明の吸収体物品の更に別の例を示す模式的な展開平面図である。図１１は、吸収体物品に応力を加えて前後方向及び左右方向に引っ張って展開し、ほぼ平面状にした状態を模式的に示している。
図１１に示される吸収体物品１１２は、テープ型のおむつとして構成されており、基本的に、図９に示される本発明の吸収体物品１０８と同様であるが、連結シートの形状及び配置状態と、通路ポケットを有している点で異なっている。
【００９５】
左右一対のＦＬＧ１４ｄの垂下部１８ｄの一部は、下端部付近で連結シート４２ｋにより相互に連結されている。
より具体的には、左右一対のＦＬＧ１４ｄは、いずれも頭部１６ｄが外側に、垂下部１８ｄが内側に向くように配置され、左右一対のＦＬＧ１４ｄの垂下部１８ｄが、それぞれ下端部付近で、その外側の面（下側の面）において、連結シート４２ｋと連結部４４ｋで結合することにより、相互に連結されている。
連結シート４２ｋは、図７（Ａ）に示される連結シート４２と同様に、帯状（テープ状）の連結シートであり、左右方向の幅が５０ｍｍ、前後方向の長さが１９０ｍｍのＰＰ製のＳＭＳ（例えば、目付量１５ｇ／ｍ２、ＡＶＧＯＬ社製）からなる疎水性のシートである。
連結シート４２ｋは、左右一対のＦＬＧ１４ｄの垂下部１８ｄの下端部と、前後方向の長さのほぼ全長にわたって、連結部４４ｋで結合している。連結シート４４ｋは、外部連結シートとして用いられている。
連結シート４２ｋは、その前後方向の長さのほぼ全長にわたって、左右方向の中央部が吸収体１２ａの表面１２ａｓと結合部４６ｃで結合している。したがって、体液の移動通路Ｐの底面は、前端部から後端部にかけて、ほぼ同じ高さとなっている。
【００９６】
体液の移動通路Ｐの前端の上部には、通路ポケット４０ａが設けられている。通路ポケット４０ａは、左右一対のＦＬＧ１４ｄの頭部１６ｄの間隔とほぼ同じ幅を有する耐水性シート（例えば、ＳＭＳ、目付量１５ｇ／ｍ２、ＡＶＧＯＬ社製）により構成され、ＦＬＧ１４ｄの左右方向の全幅を上から被覆した上で、耐水性シートをＦＬＧ１４ｄの垂下部１８ｄと結合部４０ａ’で結合させて形成される。結合部４０ａ’は、図１１に示されるように、通路ポケット４０ａの前端から左右縁部にかけて設けられており、通路ポケット４０ａの内部は密閉空間となっている。
通路ポケット４０ａは、図４に示される通路ポケット４０とほぼ同様の構造を有しているが、左右一対の垂下部１８ｄが連結シート４２ｋを介して結合しているため、体液の移動通路Ｐの底面の左右方向の幅が広くなっており、その結果として、通路ポケット４０ａの幅も広くなっているので、尿のオーバーフローがより起こりにくくなっている。なお、体液の移動通路Ｐの断面積をより大きくするには、上述したように、連結シートとして、折り返し型の連結シート（例えば、図８（Ａ）及び（Ｂ）に示される連結シート４２ｆ）や、折り畳み型の連結シート（例えば、図８（Ｃ）及び（Ｄ）に示される連結シート４２ｇ）を用いればよい。
【００９７】
上述したように、図１１に示される吸収体物品１１２においては、体液の移動通路Ｐが、図９に示される吸収体物品１０８及び図１０に示される吸収体物品１１０における各体液の移動通路Ｐのような傾斜状態とはなっていないため、排出された尿が前側にも移動しやすい。そのため、体液の移動通路Ｐの前端を通路ポケット４０ａにより密閉し、体液の移動通路Ｐの前端より前方への尿の移動を阻止している。
【００９８】
吸収体物品１１２においては、前身頃Ｆから股下部Ｃにかけての結合部４６ｃの部分では、（３ｂ）左右一対の垂下部が外部連結シートで連結されて体液の移動通路を形成し、体液の移動通路を構成する部材が吸収体の表面に結合して存在する態様（図５（Ｇ）参照）となっており、それ以外の部分では、（１）ＦＬＧの垂下部が連結されておらず、フローティング状態で存在する態様（図５（Ａ）参照）となっており、２種の態様が併用されている。
【００９９】
以上、本発明の吸収体物品を図示の各実施形態に基づいて説明したが、本発明は、これらに限定されるものではなく、例えば、各部の構成は、同様の機能を発揮しうる任意の構成と置換することができる。
また、各実施形態における各部の構成を任意に組み合わせて、別の実施形態とすることもできる。
【０１００】
本発明の吸収体物品は、紙おむつ（子供用及び大人用）、失禁用品、トレーニングパンツ等に好適に用いられる。
【符号の説明】
【０１０１】
１、１’、１４、１４ａ、１４ｂ、１４ｃ、１４ｄ  フローティングレッグギャザー（ＦＬＧ）
２、２’、１６、１６ａ、１６ｂ、１６ｃ、１６ｄ  頭部
３、３’、１８、１８ａ、１８ｂ、１８ｃ、１８ｄ  垂下部
４、４’、１２、１２ａ  吸収体
４ｓ、４’ｓ、１２ｓ、１２ａｓ  吸収体の表面
５、５’、２６、２６ａ、２６ｂ、４４、４４ａ、４４ｂ、４４ｃ、４４ｃ’、４４ｄ、４４ｅ、４４ｅ’、４４ｆ、４４ｇ、４４ｈ、４４ｉ、４４ｊ、４４ｊ’、４４ｋ  連結部
６、６’、２８、２８ａ、３２’、３２ａ’、３４’、３４ａ’、４０’、４０ａ’、４６、４６ａ、４６ｂ、４６ｃ  結合部
７、８、４２、４２ａ、４２ｂ、４２ｃ、４２ｄ、４２ｅ、４２ｆ、４２ｇ、４２ｈ、４２ｉ、４２ｊ、４２ｋ  連結シート
１０、１０ａ  防漏体
２０、２０ａ、２０ｂ、２０ｃ、２０ｄ  前端結合部
２２、２２ａ、２２ｂ、２２ｃ、２２ｄ  後端結合部
２４、２４ａ、２４ｂ  重合せ部
３０  トップシート
３２、３２ａ  前部ポケット
３４、３４ａ  後部ポケット
３６  着脱部材
３８  アウターレッグギャザー（ＯＬＧ）
４０、４０ａ  通路ポケット
４２ｈ’、４２ｈ”、４２ｊ’、４２ｊ”  シート
１００、１０２、１０４、１０６、１０８、１１０、１１２  吸収体物品
Ｃ  股下部
Ｆ  前身頃
Ｐ  体液の移動通路
Ｒ  後身頃
【図１】
2014030200.tif 000003
【図２】
2014030200.tif 000004
【図３】
2014030200.tif 000005
【図４】
2014030200.tif 000006
【図５】
2014030200.tif 000007
【図６】
2014030200.tif 000008
【図７】
2014030200.tif 000009
【図８】
2014030200.tif 000010
【図９】
2014030200.tif 000011
【図１０】
2014030200.tif 000012
【図１１】
2014030200.tif 000013
【手続補正書】
【提出日】平成25年2月15日(2013.2.15)
【手続補正１】
【補正対象書類名】特許請求の範囲
【補正対象項目名】請求項１
【補正方法】変更
【補正の内容】
【請求項１】
シート状の防漏体と、
前記防漏体の上部に少なくとも一層配置された、体液を吸収しうる吸収体と、
前記吸収体の上部に、吸収体物品本体の長さ方向の前端部から前身頃、股下部及び後身頃を経て後端部にわたって配置される左右一対のフローティングレッグギャザーと
を具備する吸収体物品であって、
前記フローティングレッグギャザーが、頭部と前記頭部に連なる垂下部とを有し、
前記フローティングレッグギャザーの前端部及び後端部が、吸収体物品本体の前端部近傍及び後端部近傍にそれぞれ結合されて、前記垂下部が前記頭部から前記吸収体に向かって垂れ下がるように構成され、
前記垂下部が、前記吸収体の表面と結合しておらず、又は前記吸収体の表面と結合していない部分と結合している部分とを有しており、
前記左右一対のフローティングレッグギャザーの前記垂下部の少なくとも一部が下端部付近で相互に連結され、前記垂下部の内面側に体液の移動通路が形成されている、吸収体物品。
【手続補正２】
【補正対象書類名】明細書
【補正対象項目名】０００７
【補正方法】変更
【補正の内容】
【０００７】
すなわち、本発明は、以下の（１）〜（２４）を提供する。
（１）シート状の防漏体と、
前記防漏体の上部に少なくとも一層配置された、体液を吸収しうる吸収体と、
前記吸収体の上部に、吸収体物品本体の長さ方向の前端部から前身頃、股下部及び後身頃を経て後端部にわたって配置される左右一対のフローティングレッグギャザーと
を具備する吸収体物品であって、
前記フローティングレッグギャザーが、頭部と前記頭部に連なる垂下部とを有し、
前記フローティングレッグギャザーの前端部及び後端部が、吸収体物品本体の前端部近傍及び後端部近傍にそれぞれ結合されて、前記垂下部が前記頭部から前記吸収体に向かって垂れ下がるように構成され、
前記垂下部が、前記吸収体の表面と結合しておらず、又は前記吸収体の表面と結合していない部分と結合している部分とを有しており、
前記左右一対のフローティングレッグギャザーの前記垂下部の少なくとも一部が下端部付近で相互に連結され、前記垂下部の内面側に体液の移動通路が形成されている、吸収体物品。
（２）前記体液の移動通路の上部が開放されている、上記（１）に記載の吸収体物品。
（３）前記左右一対のフローティングレッグギャザーが、
いずれも前記頭部が外側に、前記垂下部が内側に向くように配置され、
前記左右一対のフローティングレッグギャザーの前記垂下部が、それぞれ下端部付近で連結シートと結合することにより、相互に連結されている、上記（１）又は（２）に記載の吸収体物品。
（４）前記左右一対のフローティングレッグギャザーの前記垂下部の外側の面と、前記連結シートとが結合している、上記（３）に記載の吸収体物品。
（５）前記左右一対のフローティングレッグギャザーの前記垂下部の内側の面と、前記連結シートとが結合している、上記（３）に記載の吸収体物品。
（６）前記連結シートの前後方向の長さが前記連結シートの左右方向の幅よりも長い、上記（３）〜（５）のいずれかに記載の吸収体物品。
（７）前記連結シートの前後方向の長さが前記連結シートの左右方向の幅以下である、上記（３）〜（５）のいずれかに記載の吸収体物品。
（８）前記連結シートの左右方向の幅が、前側から後ろ側にかけて狭くなっている、上記（３）〜（７）のいずれかに記載の吸収体物品。
（９）前記連結シートの左右両縁部が、上側において、内側に折り返されている、上記（３）〜（８）のいずれかに記載の吸収体物品。
（１０）前記連結シートの左右両縁部が、上側において、内側に折り返され、かつ、内側に折り返された部分が更に外側に折り返されている、上記（３）〜（８）のいずれかに記載の吸収体物品。
（１１）前記連結シートが親水性材料により構成されている、上記（３）〜（１０）のいずれかに記載の吸収体物品。
（１２）前記連結シートが疎水性材料により構成されている、上記（３）〜（１０）のいずれかに記載の吸収体物品。
（１３）前記連結シートが親水性材料と疎水性材料との組合せにより構成されている、上記（３）〜（１０）のいずれかに記載の吸収体物品。
（１４）前記連結シートが親水性と疎水性とを複合した材料により構成されている、上記（３）〜（１０）のいずれかに記載の吸収体物品。
（１５）前記連結シートが、前記左右一対のフローティングレッグギャザーの前記垂下部の前記体液の移動通路を形成する部分の前端及び／又は後端を超えて設けられている、上記（３）〜（１７）のいずれかに記載の吸収体物品。
（１６）前記左右一対のフローティングレッグギャザーが、
いずれも前記頭部が外側に、前記垂下部が内側に向くように配置され、
前記左右一対のフローティングレッグギャザーの前記垂下部が、それぞれ下端部付近で直接結合することにより、相互に連結されている、上記（１）又は（２）に記載の吸収体物品。
（１７）前記体液の移動通路を構成する部材と前記吸収体の表面とが離間している、上記（１）〜（１６）のいずれかに記載の吸収体物品。
（１８）前記体液の移動通路を構成する部材と前記吸収体の表面とが結合している、上記（１）〜（１６）のいずれかに記載の吸収体物品。
（１９）前記体液の移動通路を構成する部材が、前記体液の移動通路の前端及び／又は後端の付近において前記吸収体の表面と結合することにより、前記体液の移動通路が、固定された部分が低く、固定されていない部分が高くなっている、上記（１８）に記載の吸収体物品。
（２０）前記体液の移動通路が前後方向において高低差を有することにより、体液の移動方向が規定されている、上記（３）〜（１９）のいずれかに記載の吸収体物品。
（２１）前記左右一対のフローティングレッグギャザーの前記垂下部と前記連結シートとの結合の上下方向の位置が、前後方向において複数あることにより、前記体液の移動通路の前記高低差が設けられている、上記（２０）に記載の吸収体物品。
（２２）前記体液の移動通路が少なくとも股下部の領域に設けられている、上記（１）〜（２１）のいずれかに記載の吸収体物品。
（２３）前記体液の移動通路が少なくとも前身頃の領域に設けられている、上記（１）〜（２２）のいずれかに記載の吸収体物品。
（２４）前記体液の移動通路が少なくとも後身頃の領域に設けられている、上記（１）〜（２３）のいずれかに記載の吸収体物品。
【手続補正３】
【補正対象書類名】明細書
【補正対象項目名】００２５
【補正方法】変更
【補正の内容】
【００２５】
垂下部１８は、頭部１６からカーテン状に垂れ下がっており、従来のＩＬＧのように吸収体（又は吸収体を被覆するトップシート）に結合し固定され支えられて立ち上がるのではなく、基本的に吸収体１２の表面１２ｓには固定されず（後述するように一部は固定されうる。）、吸収体１２の表面１２ｓから浮き上がっている。この新規なＦＬＧ１４は、このように浮き上がっている構造を有するため、本明細書においては、フローティングレッグギャザー（Ｆｌｏａｔｉｎｇ  Ｌｅｇ  Ｇａｔｈｅｒ（ｓ）：ＦＬＧ）と呼んでいる。このように浮き上がっている構造とするためには、例えば、ＦＬＧ１４における前端結合部２０と後端結合部２２との間の長さを、防漏体１０における前端結合部２０と後端結合部２２との間の長さより短くすることにより実現することができる。
【国際調査報告】
2014030200.tif 000014
2014030200.tif 000015
2014030200.tif 000016
2014030200.tif 000017